(57)【要約】【課題】  本発明は、流体の流通抵抗の増加を抑えつつ、高い伝熱性能を得ることのできるプレート式熱交換器を提供する。【解決手段】  本発明は、伝熱領域を含む複数の伝熱プレートを備え、伝熱プレートを境にして、第一流体を第一方向と直交する第二方向に流通させる第一流路と、第二流体を第二方向に流通させる第二流路とが第一方向で交互に形成され、伝熱領域は、第二方向に延びる自身の中心線に対して傾斜する方向に長手を有する凸部及び凹部を含み且つ該凸部及び凹部が前記傾斜する方向の延びる仮想線に沿って交互に並ぶ凹凸群であって、前記傾斜する方向と直交する方向に並ぶ複数の凹凸群を有し、凹凸群の凸部は、隣り合う凹凸群の凹部と横並びに配置されるとともに、凹凸群の凹部は、隣り合う凹凸群の凸部と横並びに配置され、隣り合う伝熱プレートは、互いの凹凸群の凸部同士を交差衝合させている。【選択図】図１
2020034219.tif 000002
【特許請求の範囲】
【請求項１】
第一方向の両面に伝熱領域を含む伝熱プレートであって、それぞれの伝熱領域が第一方向に重ね合わされた複数の伝熱プレートを備え、該複数の伝熱プレートのそれぞれを境にして、第一流体を第一方向と直交する第二方向に流通させる第一流路と、第二流体を第二方向に流通させる第二流路とが第一方向で交互に形成され、伝熱領域は、第二方向に延びる自身の中心線に対して傾斜する方向に長手を有する凸部及び凹部を含み且つ該凸部及び凹部が前記傾斜する方向に延びる仮想線に沿って交互に並ぶ凹凸群であって、前記傾斜する方向と直交する方向に並ぶ複数の凹凸群を有し、該複数の凹凸群のそれぞれの凸部は、前記傾斜する方向と直交する方向で隣り合う凹凸群の凹部に対して横並びに配置されるとともに、前記複数の凹凸群のそれぞれの凹部は、前記傾斜する方向と直交する方向で隣り合う凹凸群の凸部に対して横並びに配置され、伝熱領域を対向させて隣り合う伝熱プレートは、互いの凹凸群の凸部同士を交差衝合させていることを特徴とするプレート式熱交換器。
【請求項２】
伝熱プレートの伝熱領域にある複数の凹凸群の凸部のそれぞれは、第一方向で隣り合う相手方の伝熱プレートの伝熱領域にある複数の凹凸群のうちの少なくとも二つの凹凸群の凸部と交差衝合している請求項１に記載のプレート式熱交換器。
【請求項３】
伝熱プレートの伝熱領域にある複数の凹凸群の凸部のそれぞれは、第一方向で隣り合う相手方の伝熱プレートの伝熱領域にある複数の凹凸群のうちの一つの凹凸群の一つの凸部と交差衝合している請求項１に記載のプレート式熱交換器。
【請求項４】
凹凸群の配置の基準となる仮想線は、第二方向に延びる中心線に対して４５°未満の角度で傾斜している請求項１乃至３の何れか１項に記載のプレート式熱交換器。
【発明の詳細な説明】
【技術分野】
【０００１】
本発明は、第一流体と第二流体とを熱交換させるプレート式熱交換器に関する。
【背景技術】
【０００２】
従来から、第一流体と第二流体とを熱交換させるプレート式熱交換器が提供されている。プレート式熱交換器は、第一方向の両面に伝熱領域を含む伝熱プレートであって、それぞれの伝熱領域が第一方向に重ね合わされた複数の伝熱プレートを備える（例えば、特許文献１参照）。
【０００３】
複数の伝熱プレートのそれぞれの伝熱領域は、第一方向と直交する第二方向に延びる自身の中心線（以下、縦中心線という）に対して傾斜する方向に連続的に延びる複数の凸条及び凹条を含む。伝熱領域内において、凸条及び凹条は、自身の延びる方向と直交する方向に交互に配置される。なお、伝熱プレートは、一般的に、金属プレートをプレス成型して作製される。そのため、一方の面の伝熱領域の凸条と他方の面の伝熱領域の凹条とは、表裏の関係にあり、一方の面の伝熱領域の凹条と他方の面の伝熱領域の凸条とは、表裏の関係にある。
【０００４】
この種のプレート式熱交換器において、複数の伝熱プレートは、互いの伝熱領域を第一方向に重ね合わせた状態にされ、隣り合う伝熱プレート（伝熱領域）の凸条同士が格子状に配置される。すなわち、複数の伝熱プレートは、隣り合う伝熱プレート（伝熱領域）の凸条同士が交差衝合した状態になるように配置される。
【０００５】
これにより、この種のプレート式熱交換器では、第一流体を第二方向に流通させる第一流路と、第二流体を第二方向に流通させる第二流路とが、各伝熱プレートを境にして第一方向で交互に形成され、第一流路を流通する第一流体と第二流路を流通する第二流体とを伝熱プレートを介して熱交換させる。
【０００６】
ところで、この種のプレート式熱交換器では、伝熱プレートの伝熱領域内にある凸条及び凹条は、縦中心線に対して傾斜する方向に連続的に延びているため、凸条及び凹条の延びる方向（縦中心線に対する傾斜角度）によって、第一流体及び第二流体の流通抵抗や、第一流体と第二流体との熱交換性能（伝熱性能）が異なる。
【０００７】
具体的に説明すると、縦中心線に対する凸条及び凹条の傾斜角度が大きい場合（第一方向及び第二方向と直交する第三方向に延びる伝熱領域の中心線（以下、横中心線という）に対する凸条及び凹条の傾斜角度が小さい場合）、複数の凸条のそれぞれが流体（第一流体、第二流体）の流れ方向の成分の少ない方向に延びる（凸条が流体の流れ方向を横切るような配置になる）。そのため、第一流体及び第二流体のそれぞれは、複数の凸条を繰り返し乗り越えつつ流路（第一流路又は第二流路）内を第二方向に流通しようとする。その結果、第一流体及び第二流体のそれぞれの流れに乱れが生じ、高い伝熱性能が得られるが、第一流路及び第二流路のそれぞれでの圧力損失（流通抵抗）が非常に大きくなってしまう。
【０００８】
これに対し、縦中心線に対する凸条及び凹条の傾斜角度が小さい場合（横中心線に対する凸条及び凹条の傾斜角度が大きい場合）、複数の凸条のそれぞれが流体（第一流体、第二流体）の流れる方向の成分の多い方向に延びる（凸条が流体の流れ方向に従うような配置になる）。そのため、第一流体及び第二流体のそれぞれは、凸条を大きく乗り越えることなく第二方向に流通しようとする。その結果、第一流路及び第二流路のそれぞれでの圧力損失（流通抵抗）が小さくなるが、第一流体及び第二流体のそれぞれの流れに乱れが生じ難くなり、高い伝熱性能が得られなくなる。
【先行技術文献】
【特許文献】
【０００９】
【特許文献１】特開２０１４−８５０４４号公報
【発明の概要】
【発明が解決しようとする課題】
【００１０】
そこで、本発明は、流体の流通抵抗の増加を抑えつつ、高い伝熱性能を得ることのできるプレート式熱交換器を提供することを課題とする。
【課題を解決するための手段】
【００１１】
本発明に係るプレート式熱交換器は、第一方向の両面に伝熱領域を含む伝熱プレートであって、それぞれの伝熱領域が第一方向に重ね合わされた複数の伝熱プレートを備え、該複数の伝熱プレートのそれぞれを境にして、第一流体を第一方向と直交する第二方向に流通させる第一流路と、第二流体を第二方向に流通させる第二流路とが第一方向で交互に形成され、伝熱領域は、第二方向に延びる自身の中心線に対して傾斜する方向に長手を有する凸部及び凹部を含み且つ該凸部及び凹部が前記傾斜する方向に延びる仮想線に沿って交互に並ぶ凹凸群であって、前記傾斜する方向と直交する方向に並ぶ複数の凹凸群を有し、該複数の凹凸群のそれぞれの凸部は、前記傾斜する方向と直交する方向で隣り合う凹凸群の凹部に対して横並びに配置されるとともに、前記複数の凹凸群のそれぞれの凹部は、前記傾斜する方向と直交する方向で隣り合う凹凸群の凸部に対して横並びに配置され、伝熱領域を対向させて隣り合う伝熱プレートは、互いの凹凸群の凸部同士を交差衝合させていることを特徴とする。
【００１２】
上記構成によれば、伝熱プレート（伝熱領域）にある複数の凹凸群の凸部及び凹部のそれぞれが千鳥状に配置される。すなわち、複数の凸部が伝熱領域内に千鳥状に配置され、複数の凹部が伝熱領域内に複数の凸部を躱して千鳥状に配置される。
【００１３】
これにより、第一流体は、第一流路で第二方向に流通するに当たり、第一流路を画定する伝熱プレート（伝熱領域）にある凹部に沿って流れ、該凹部の下流側で隣り合う凸部（共通の凹凸群の凸部）と衝突する。そうすると、第一流体の流れが変わり、第一流体は、周辺の凹部（例えば、両側の凹凸群の凹部、相手方の伝熱プレートの凹凸群の凹部等）に乗り移って該凹部に沿って流れる。このように、第一流体は、凹部に沿った流れと、凸部に対する衝突を繰り返しつつ、下流側に流れる。
【００１４】
また、第二流体は、第二流路で第二方向に流通するに当たり、第二流路を画定する伝熱プレート（伝熱領域）にある凹部に沿って流れ、該凹部の下流側で隣り合う凸部（共通の凹凸群の凸部）と衝突する。そうすると、第二流体の流れが変わり、第二流体は、周辺の凹部（例えば、両側の凹凸群の凹部、相手方の伝熱プレートの凹凸群の凹部）に乗り移って該凹部に沿って流れる。このように、第二流体は、凹部に沿った流れと、凸部に対する衝突を繰り返しつつ、下流側に流れる。
【００１５】
以上のように、第一流体及び第二流体のそれぞれが流路（第一流路又は第二流路）を画定する伝熱領域にある凹部に沿って流れるため、上記構成のプレート式熱交換器では、流通抵抗の増大が抑えられる。また、第一流体及び第二流体のそれぞれが、凹部を含む凹凸群の凸部と衝突するため、上記構成のプレート式熱交換器では、第一流体及び第二流体のそれぞれの流れに乱れが生じることになり、高い伝熱性能が得られる。
【００１６】
本発明の一態様として、伝熱プレートの伝熱領域にある複数の凹凸群の凸部のそれぞれは、第一方向で隣り合う相手方の伝熱プレートの伝熱領域にある複数の凹凸群のうちの少なくとも二つの凹凸群の凸部と交差衝合してもよい。
【００１７】
このようにすれば、凸部に衝突した第一流体が該凸部を含む凹凸群の両側にある凹凸群の凹部に誘導され、凸部に衝突した第二流体が該凸部を含む凹凸群の両側にある凹凸群の凹部に誘導される。
【００１８】
具体的に説明すると、共通の伝熱領域内にある複数の凹凸群は、中心線に対して傾斜する方向（仮想線の延びる方向）に対して直交方向に並ぶため、異なる凹凸群の凸部は、凹凸群の延びる方向（中心線に対して傾斜する方向）に対して直交する方向の異なる位置に配置される。すなわち、異なる凹凸群の凸部は、傾斜する方向（仮想線の延びる方向）と直交する方向に間隔をあけて配置される。
【００１９】
従って、伝熱プレートの伝熱領域にある複数の凹凸群の凸部のそれぞれに対し、該凸部の長手方向に間隔をあけて相手方の伝熱プレートの少なくとも二つの凸部（異なる凹凸群の凸部）が交差衝合する。
【００２０】
すなわち、伝熱プレートの伝熱領域にある複数の凹凸群の凸部のそれぞれの端部又はその近傍に対し、相手方の伝熱プレートの凸部（異なる凹凸群の凸部）が交差衝合する。
【００２１】
これにより、凸部に衝突した第一流体が、相手方の伝熱プレート側に流れようとしても該相手方の伝熱プレートの凸部によって阻止され、結果的に衝突した凸部を含む凹凸群の両側にある凹凸群の凹部に誘導（分岐）され、該凹部に沿って流れる。そして、凹部に沿って流れた第一流体は、該凹部と隣り合う凸部と衝突する。
【００２２】
そうすると、ここでも第一流体は、相手方の伝熱プレート側に流れようとするが、該相手方の伝熱プレートの凸部によって阻止され、結果的に衝突した凸部を含む凹凸群の両側にある凹凸群の凹部に誘導（分岐）される。すなわち、元の凹凸群に含まれる凹部に誘導（合流）される。これにより、第一流体は、凸部との衝突で分岐と合流とを繰り返して、下流側に流れる。この流れ（凸部との衝突で分岐と合流とを繰り返す流れ）は、第二流体も同様である。
【００２３】
このように、第一流路に第一流体が凹部を流れる機会があり、第二流路に第二流体が凹部を流れる機会があるため、それぞれの流路で流通抵抗が高くなることが抑制される。また、第一流路内で第一流体が分岐と合流を繰り返し、第二流路内で第二流体が分岐と合流を繰り返すことで、第一流体及び第二流体のそれぞれの流れに乱れが生じる結果、第一流体と第二流体との熱交換性能（伝熱性能）が高くなる。
【００２４】
本発明の他態様として、伝熱プレートの伝熱領域にある複数の凹凸群の凸部のそれぞれは、第一方向で隣り合う相手方の伝熱プレートの伝熱領域にある複数の凹凸群のうちの一つの凹凸群の一つの凸部と交差衝合してもよい。
【００２５】
このようにすれば、凸部に衝突した第一流体が該凸部を含む凹凸群のある伝熱プレートに対して相手方の伝熱プレートの凹凸群の凹部に誘導され、凸部に衝突した第二流体が該凸部を含む凹凸群のある伝熱プレートに対して相手方の伝熱プレートの凹凸群の凹部に誘導される。
【００２６】
具体的に説明すると、共通の伝熱領域内にある複数の凹凸群は、中心線に対して傾斜する方向（仮想線の延びる傾斜する方向）に対して直交方向に並ぶため、異なる凹凸群の凸部は、凹凸群の延びる方向（仮想線の延びる傾斜する方向）に対して直交する方向の異なる位置に配置される。すなわち、異なる凹凸群の凸部は、仮想線の延びる方向と直交する方向に間隔をあけて配置される。これに伴い、凹凸群に含まれる凸部のそれぞれには、相手方の伝熱プレートの異なる凹凸群の一つの凸部が交差する。これに伴い、隣り合う伝熱プレートの凸部同士は交差衝合し、隣り合う伝熱プレートの凹部同士は間隔をあけた状態で交差する。
【００２７】
これにより、凹部に沿って流れる第一流体が凸部に衝突することで流れを変えようとすると、相手方の伝熱プレートの凹部（第一流体が衝突する凸部と横並びの凹部と交差する凹部）に入り込み、該相手方の伝熱プレートの凹部に沿って流れる。そして、相手方の伝熱プレートの凹部に沿って流れる第一流体が該相手方の伝熱プレート凸部に衝突することで流れを変えようとすると、元の伝熱プレートの凹部（第一流体が衝突する凸部と横並びの凹部と交差する凹部）に入り込み、該元の伝熱プレートの凹部に沿って流れる。このように、第一流体は、隣り合う伝熱プレートの凹部を順々に乗り移りつつ下流側に流れる。
【００２８】
そして、上記構成のプレート式熱交換器において、凹凸群（凸部及び凹部）は、第二方向に延びる（第一流体の流れ方向に延びる）中心線に対して傾斜した仮想線に沿っている（凹部が傾斜する方向に長手をなす）ため、上述の如く、第一流体が隣り合う伝熱プレートの凹部を順々に乗り移りつつ下流側に流れることで、第一流体の流れが螺旋流になる。この流れ（螺旋流）は、第二流体も同様である。
【００２９】
このように、第一流路に第一流体が凹部を流れる機会があり、第二流路に第二流体が凹部を流れる機会があるため、それぞれの流路で流通抵抗が高くなることが抑制される。また、第一流路内で第一流体が螺旋流を作り、第二流路内で第二流体が螺旋流を作ることで、第一流体及び第二流体のそれぞれの流れにさらなる乱れが生じる結果、伝熱プレート（伝熱領域）を介しての第一流体と第二流体との熱交換性能（伝熱性能）が高くなる。
【００３０】
これらの場合、凹凸群の配置の基準となる仮想線は、第二方向に延びる中心線に対して４５°未満の角度で傾斜していることが好ましい。このようにすれば、凹凸群に含まれる凹部の長手に延びる方向の成分に、第一流体及び第二流体の流れ方向と直交する成分より、流れ方向の成分の方が多く含まれる。これにより、第一流路で第一流体が流れ易く、第二流路で第二流体が流れ易くなる。すなわち、第一流路及び第二流路のそれぞれにおいて、流通抵抗が高くなることが抑制される。
【発明の効果】
【００３１】
本発明に係るプレート式熱交換器によれば、流体の流通抵抗の増加を抑えつつ、高い伝熱性能を得ることができるという優れた効果を奏し得る。
【図面の簡単な説明】
【００３２】
【図１】図１は、本発明の第一実施形態に係るプレート式熱交換器の全体斜視図である。
【図２】図２は、第一実施形態に係るプレート式熱交換器の概略分解斜視図である。
【図３】図３は、第一実施形態に係るプレート式熱交換器における第一伝熱プレートの正面図である。
【図４】図４は、第一実施形態に係るプレート式熱交換器における第一伝熱プレートの背面図である。
【図５】図５は、第一実施形態に係るプレート式熱交換器における第二伝熱プレートの正面図である。
【図６】図６は、第一実施形態に係るプレート式熱交換器における第二伝熱プレートの背面図である。
【図７】図７は、第一実施形態に係るプレート式熱交換器における第一流路での第一流体の流れを説明するための図である。
【図８】図８は、第一実施形態に係るプレート式熱交換器における第二流路での第二流体の流れを説明するための図である。
【図９】図９は、第一実施形態に係るプレート式熱交換器における第一流路の部分的な領域での第一流体の流れを説明するための図である。
【図１０】図１０は、第一実施形態に係るプレート式熱交換器における第二流路の部分的な領域での第二流体の流れを説明するための図である。
【図１１】図１１は、本発明の第二実施形態に係るプレート式熱交換器の全体斜視図である。
【図１２】図１２は、第二実施形態に係るプレート式熱交換器の概略分解斜視図である。
【図１３】図１３は、第二実施形態に係るプレート式熱交換器における第一伝熱プレートの正面図である。
【図１４】図１４は、第二実施形態に係るプレート式熱交換器における第一伝熱プレートの背面図である。
【図１５】図１５は、第二実施形態に係るプレート式熱交換器における第二伝熱プレートの正面図である。
【図１６】図１６は、第二実施形態に係るプレート式熱交換器における第二伝熱プレートの背面図である。
【図１７】図１７は、第二実施形態に係るプレート式熱交換器における第一流路での第一流体の流れを説明するための図である。
【図１８】図１８は、第二実施形態に係るプレート式熱交換器における第二流路での第二流体の流れを説明するための図である。
【図１９】図１９は、第二実施形態に係るプレート式熱交換器における第一流路の部分的な領域での第一流体の流れを説明するための図である。
【図２０】図２０は、第二実施形態に係るプレート式熱交換器における第二流路の部分的な領域での第二流体の流れを説明するための図である。
【図２１】図２１は、本発明の他実施形態に係るプレート式熱交換器における第一流路の部分的な領域での第一流体の流れを説明するための図である。
【図２２】図２２は、同実施形態に係るプレート式熱交換器における第二流路の部分的な領域での第二流体の流れを説明するための図である。
【発明を実施するための形態】
【００３３】
以下、本発明の第一実施形態に係るプレート式熱交換器について、添付図面を参照しつつ説明する。
【００３４】
プレート式熱交換器は、図１に示す如く、第一流体Ａと第二流体Ｂとを熱交換させるもので、第一方向に重ね合わされた複数の伝熱プレート２，３を備える。
【００３５】
なお、以下の説明において、第一方向をＸ軸方向とし、第一方向と直交する第二方向をＺ軸方向とし、第一方向及び第二方向のそれぞれと直交する第三方向をＹ軸方向とする。これに伴い、各図には、各方向に対応した直交三軸（Ｘ軸方向と対応するＸ軸、Ｙ軸方向と対応するＹ軸、及びＺ軸方向と対応するＺ軸）を補助的に図示している。
【００３６】
本実施形態に係るプレート式熱交換器１において、図２に示す如く、複数の伝熱プレート２，３のそれぞれを境にして、第一流体ＡをＺ軸方向に流通させる第一流路Ｒａと、第二流体ＢをＺ軸方向に流通させる第二流路Ｒｂとが、Ｘ軸方向で交互に形成されている。
【００３７】
複数の伝熱プレート２，３のそれぞれは、図３乃至図６に示す如く、Ｘ軸方向の両面Ｓ１，Ｓ２に伝熱領域２００ａ，２００ｂ，３００ａ，３００ｂを含む。より具体的に説明すると、複数の伝熱プレート２，３のそれぞれは、Ｘ軸方向に第一面Ｓ１と該第一面Ｓ１の反対側の第二面Ｓ２を有する伝熱部２０，３０と、伝熱部２０，３０の外周全周から延出した環状部２１，３１とを備える。
【００３８】
伝熱部２０，３０の第一面Ｓ１及び第二面Ｓ２は、第一流体Ａと第二流体Ｂとの熱交換に寄与する伝熱領域２００ａ，２００ｂ，３００ａ，３００ｂを含む。具体的に説明すると、伝熱部２０，３０は、Ｘ軸方向から見て四角形状に形成される。本実施形態において、伝熱部２０，３０は、Ｘ軸方向から見てＺ軸方向に長手をなした長方形状に形成される。そして、伝熱部２０，３０は、Ｚ軸方向に延びる中心線（以下、縦中心線という）ＣＬ１と、Ｙ軸方向に延びる中心線（以下、横中心線という）ＣＬ２との交点を含む主伝熱部２０ａ，３０ａと、Ｚ軸方向の主伝熱部２０ａ，３０ａの両側にある一対の端部２０ｂ，３０ｂとを含む。
【００３９】
主伝熱部２０ａ，３０ａは、Ｘ軸方向から見て四角形状に形成される。本実施形態において、主伝熱部２０ａ，３０ａは、Ｚ軸方向に長手をなした長方形状に形成される。一対の端部２０ｂ，３０ｂは、主伝熱部２０ａ，３０ａと連続し、伝熱部２０，３０全体をＸ軸方向から見て四角形状（長方形状）に形成している。
【００４０】
伝熱部２０，３０のうちの主伝熱部２０ａ，３０ａの第一面Ｓ１及び第二面Ｓ２は、伝熱領域２００ａ，２００ｂ，３００ａ，３００ｂとされる。第一面Ｓ１及び第二面Ｓ２の伝熱領域２００ａ，２００ｂ，３００ａ，３００ｂのそれぞれは、縦中心線ＣＬ１に対して傾斜する方向（以下、傾斜方向という）に長手を有する凸部２０１ａ，２０２ａ，３０１ａ，３０２ａ及び凹部２０１ｂ，２０２ｂ，３０１ｂ，３０２ｂを含み且つ該凸部２０１ａ，２０２ａ，３０１ａ，３０２ａ及び凹部２０１ｂ，２０２ｂ，３０１ｂ，３０２ｂが傾斜方向に延びる仮想線ＶＬに沿って交互に並ぶ凹凸群２０１，２０２，３０１，３０２であって、傾斜方向と直交する方向に並ぶ複数の凹凸群２０１，２０２，３０１，３０２を有する。
【００４１】
複数の凹凸群２０１，２０２，３０１，３０２のそれぞれの凸部２０１ａ，２０２ａ，３０１ａ，３０２ａは、傾斜方向と直交する方向で隣り合う凹凸群２０１，２０２，３０１，３０２の凹部２０１ｂ，２０２ｂ，３０１ｂ，３０２ｂと横並びに配置される。これに対し、複数の凹凸群２０１，２０２，３０１，３０２のそれぞれの凹部２０１ｂ，２０２ｂ，３０１ｂ，３０２ｂは、傾斜方向と直交する方向で隣り合う凹凸群２０１，２０２，３０１，３０２の凸部２０１ａ，２０２ａ，３０１ａ，３０２ａと横並びに配置される。
【００４２】
これにより、複数列の凹凸群２０１，２０２，３０１，３０２の凸部２０１ａ，２０２ａ，３０１ａ，３０２ａは、伝熱領域２００ａ，２００ｂ，３００ａ，３００ｂ内で千鳥状に配置され、複数列の凹凸群２０１，２０２，３０１，３０２の凹部２０１ｂ，２０２ｂ，３０１ｂ，３０２ｂは、伝熱領域２００ａ，２００ｂ，３００ａ，３００ｂ内で凸部２０１ａ，２０２ａ，３０１ａ，３０２ａの間に配置され、該伝熱領域２００ａ，２００ｂ，３００ａ，３００ｂ内で千鳥状に配置されている。
【００４３】
より正確に説明すると、本実施形態において、複数の凹凸群２０１，２０２，３０１，３０２のそれぞれの凸部２０１ａ，２０２ａ，３０１ａ，３０２ａは、隣り合う凹凸群２０１，２０２，３０１，３０２の凹部２０１ｂ，２０２ｂ，３０１ｂ，３０２ｂとＹ軸方向で横並びに配置される。これに対し、複数の凹凸群２０１，２０２，３０１，３０２のそれぞれの凹部２０１ｂ，２０２ｂ，３０１ｂ，３０２ｂは、隣り合う凹凸群２０１，２０２，３０１，３０２の凸部２０１ａ，２０２ａ，３０１ａ，３０２ａとＹ軸方向で横並びに配置される。
【００４４】
これにより、異なる凹凸群２０１，２０２，３０１，３０２の凸部２０１ａ，２０２ａ，３０１ａ，３０２ａと凹部２０１ｂ，２０２ｂ，３０１ｂ，３０２ｂとがＹ軸方向に交互に配置された複数の群（行）が、Ｚ軸方向に複数並んで形成されている。
【００４５】
傾斜方向は、縦中心線ＣＬ１に対して４５°未満の角度で傾斜する方向に設定される。これに伴い、縦中心線ＣＬ１に対する仮想線ＶＬの傾斜角度θ１は、４５°未満に設定される。すなわち、横中心線ＣＬ２に対する仮想線ＶＬの傾斜角度θ２は、４５°よりも大きく設定される。本実施形態において、縦中心線ＣＬ１に対する仮想線ＶＬの傾斜角度θ１は、３０°乃至４０°に設定される。本実施形態において、横中心線ＣＬ２に対する仮想線ＶＬの傾斜角度θ２は、６０°乃至７０°に設定される。
【００４６】
これにより、複数の伝熱プレート２，３は、伝熱部２０，３０（伝熱領域２００ａ，２００ｂ，３００ａ，３００ｂ）を対向させた状態で重ね合わされることで、隣り合う伝熱プレート２，３の互いの凹凸群２０１，２０２，３０１，３０２の凸部２０１ａ，２０２ａ，３０１ａ，３０２ａ同士を交差衝合させるようになっている。
【００４７】
ここで、各凹凸群２０１，２０２，３０１，３０２に含まれる凸部２０１ａ，２０２ａ，３０１ａ，３０２ａの長手方向の長さ及び凹部２０１ｂ，２０２ｂ，３０１ｂ，３０２ｂの長手方向の長さ（仮想線ＶＬの延びる方向に並ぶ凸部２０１ａ，２０２ａ，３０１ａ，３０２ａ同士の間隔）は、一つの凸部２０１ａ，２０２ａ，３０１ａ，３０２ａが隣り合う（相手方の）伝熱プレート２，３の伝熱領域２００ａ，２００ｂ，３００ａ，３００ｂに含まれる二つ（二列）以上の凹凸群２０１，２０２，３０１，３０２に跨る（二つ以上の凹凸群２０１，２０２，３０１，３０２の凸部２０１ａ，２０２ａ，３０１ａ，３０２ａに対して交差衝合する）ように設定される。
【００４８】
凸部２０１ａ，２０２ａ，３０１ａ，３０２ａ（凸部２０１ａ，２０２ａ，３０１ａ，３０２ａの頂上）と凹部２０１ｂ，２０２ｂ，３０１ｂ，３０２ｂ（凹部２０１ｂ，２０２ｂ，３０１ｂ，３０２ｂの底）とは、Ｘ軸方向における位置を異にする。そのため、凸部２０１ａ，２０２ａ，３０１ａ，３０２ａと凹部２０１ｂ，２０２ｂ，３０１ｂ，３０２ｂとの間には、凸部２０１ａ，２０２ａ，３０１ａ，３０２ａの頂上から凹部２０１ｂ，２０２ｂ，３０１ｂ，３０２ｂの底(或いは、凹部２０１ｂ，２０２ｂ，３０１ｂ，３０２ｂの底から凸部２０１ａ，２０２ａ，３０１ａ，３０２ａの頂上）に繋がる中間領域（採番しない）が形成されている。
【００４９】
この中間領域は、凹凸群２０１，２０２，３０１，３０２にある凸部２０１ａ，２０２ａ，３０１ａ，３０２ａと凹部２０１ｂ，２０２ｂ，３０１ｂ，３０２ｂとの間や、隣り合う凹凸群２０１，２０２，３０１，３０２の凸部２０１ａ，２０２ａ，３０１ａ，３０２ａと凹部２０１ｂ，２０２ｂ，３０１ｂ，３０２ｂとの間に配置される。
【００５０】
中間領域は、凸部２０１ａ，２０２ａ，３０１ａ，３０２ａの頂上と凹部２０１ｂ，２０２ｂ，３０１ｂ，３０２ｂの底との途中位置にＺ軸方向及びＹ軸方向に広がる中段部位が含まれてもよいが、本実施形態においては、凸部２０１ａ，２０２ａ，３０１ａ，３０２ａの頂上から凹部２０１ｂ，２０２ｂ，３０１ｂ，３０２ｂの底に向けて（或いは、凹部２０１ｂ，２０２ｂ，３０１ｂ，３０２ｂの底から凸部２０１ａ，２０２ａ，３０１ａ，３０２ａの頂上に向けて）連続的に傾斜している。
【００５１】
一対の端部２０ｂ，３０ｂのそれぞれには、Ｘ軸方向に貫通した一対の貫通孔２０３，２０４，３０３，３０４が設けられている。一対の端部２０ｂ，３０ｂのそれぞれにおいて、一対の貫通孔２０３，２０４，３０３，３０４は、Ｙ軸方向に間隔をあけて配置されている。本実施形態において、一対の貫通孔２０３，２０４，３０３，３０４は、縦中心線ＣＬ１を挟んで配置されている。
【００５２】
本実施形態において、複数の伝熱プレート２，３のそれぞれは、金属プレートをプレス成型したものである。これに伴い、各伝熱プレート２，３において、第一面Ｓ１の伝熱領域２００ａ，３００ａの凸部２０１ａ，３０１ａと第二面Ｓ２の伝熱領域２００ｂ，３００ｂの凹部２０２ｂ，３０２ｂとが表裏の関係にあり、第一面Ｓ１の伝熱領域２００ａ，３００ａの凹部２０１ｂ，３０１ｂと第二面Ｓ２の伝熱領域２００ｂ，３００ｂの凸部２０２ａ，３０２ａとが表裏の関係にある。すなわち、伝熱プレート２，３の第一面Ｓ１の伝熱領域２００ａ，３００ａにある凹凸群２０１，３０１と、伝熱プレート２，３の第二面Ｓ２の伝熱領域２００ｂ，３００ｂにある凹凸群２０２，３０２とは、対応する位置で凹凸関係が反対で形成されている。
【００５３】
本実施形態に係るプレート式熱交換器１は、二種類の伝熱プレート２，３を含む。この二種類の伝熱プレート２，３は、環状部２１，３１の伝熱部２０，３０からの延出方向及び凹凸群２０１，２０２，３０１，３０２の凹凸の位置を異にする以外は、同一構成である。
【００５４】
具体的に説明すると、二種類の伝熱プレート２，３は、主伝熱部２０ａ，３０ａ及び一対の端部２０ｂ，３０ｂを含む伝熱部２０，３０と、環状部２１，３１とを備え、主伝熱部２０ａ，３０ａの第一面Ｓ１及び第二面Ｓ２の伝熱領域２００ａ，２００ｂ，３００ａ，３００ｂが複数の凹凸群２０１，２０２，３０１，３０２を有する点で共通している。
【００５５】
二種類の伝熱プレート２，３のうちの一方の伝熱プレート（以下、第一伝熱プレートという）２において、環状部２１は、伝熱部２０の第二面Ｓ２側に延出し、二種類の伝熱プレート２，３のうちの他方の伝熱プレート（以下、第二伝熱プレートという）３において、環状部３１は、伝熱部３０の第一面Ｓ１側に延出している。
【００５６】
第一伝熱プレート２の伝熱部２０（主伝熱部２０ａ）の第一面Ｓ１及び第二面Ｓ２のそれぞれの伝熱領域２００ａ，２００ｂにおいて、複数の凹凸群２０１，２０２は、Ｘ軸方向から見てＹ軸方向における伝熱部２０の一端側から他端側に向けて先下りに傾斜している。これに対し、第二伝熱プレート３の伝熱部３０（主伝熱部３０ａ）の第一面Ｓ１及び第二面Ｓ２のそれぞれの伝熱領域３００ａ，３００ｂにおいて、複数の凹凸群３０１，３０２は、Ｘ軸方向から見てＹ軸方向における伝熱部３０の他端側から一端側に向けて先下りに傾斜している。
【００５７】
本実施形態において、第二伝熱プレート３の複数の凹凸群３０１，３０２は、Ｘ軸方向における同一側から見て、第一伝熱プレート２の複数の凹凸群２０１，２０２を縦中心線ＣＬ１で反転させた上でＹ軸方向に所定ピッチ（本実施形態においては１ピッチ）位置ずれさせた配置になっている。
【００５８】
そして、第一伝熱プレート２及び第二伝熱プレート３は、図２に示す如く、Ｘ軸方向で交互に配置され、隣り合う第一伝熱プレート２及び第二伝熱プレート３の環状部２１，３１同士が嵌合される（図１参照）。この状態で、第一伝熱プレート２の伝熱部２０の第一面Ｓ１は、第二伝熱プレート３の伝熱部３０の第一面Ｓ１と対向し、第一伝熱プレート２の伝熱部２０の第二面Ｓ２は、第二伝熱プレート３の伝熱部３０の第二面Ｓ２と対向する。
【００５９】
この状態において、第一伝熱プレート２の伝熱部２０の第一面Ｓ１（伝熱領域２００ａ）にある複数の凹凸群２０１のそれぞれの凸部２０１ａに対し、第二伝熱プレート３の伝熱部３０の第一面Ｓ１（伝熱領域３００ａ）に含まれる二つ（二列）の凹凸群３０１が交差し、その凹凸群３０１の凸部３０１ａが交差衝合する。すなわち、第一伝熱プレート２の伝熱部２０の第一面Ｓ１（伝熱領域２００ａ）にある複数の凹凸群２０１のそれぞれの凸部２０１ａに対し、第二伝熱プレート３の伝熱部３０の第一面Ｓ１（伝熱領域３００ａ）にある二つの凸部３０１ａが交差衝合する（図７参照）。
【００６０】
また、第一伝熱プレート２の伝熱部２０の第二面Ｓ２（伝熱領域２００ｂ）にある複数の凹凸群２０２のそれぞれの凸部２０２ａに対し、第二伝熱プレート３の伝熱部３０の第二面Ｓ２（伝熱領域３００ｂ）に含まれる二つ（二列）の凹凸群３０２が交差し、その凹凸群３０２の凸部３０２ａが交差衝合する。すなわち、第一伝熱プレート２の伝熱部２０の第二面Ｓ２（伝熱領域２００ｂ）にある複数の凹凸群２０２のそれぞれの凸部２０２ａに対し、第二伝熱プレート３の伝熱部３０の第二面Ｓ２（伝熱領域３００ｂ）にある二つの凸部３０２ａが交差衝合する。
【００６１】
そして、Ｘ軸方向に重ね合わされた複数の伝熱プレート２，３(第一伝熱プレート２、第二伝熱プレート３）の環状部２１，３１間や、貫通孔２０３，２０４，３０３，３０４の周囲等が適宜液密にシールされる。本実施形態において、Ｘ軸方向に重ね合わされた複数の伝熱プレート２，３は、ロウ付けにより一体にされ、該ロウ付けによって環状部２１，３１間や貫通孔２０３，２０４，３０３，３０４の周囲等がシールされる。
【００６２】
これにより、複数の伝熱プレート２，３の伝熱部２０，３０（第一伝熱プレート２の伝熱部２０、第二伝熱プレート３の伝熱部３０）を境にして、第一流体ＡをＺ軸方向に流通させる第一流路Ｒａと、第二流体ＢをＺ軸方向に流通させる第二流路ＲｂとがＸ軸方向で交互に形成される。すなわち、第一伝熱プレート２の伝熱部２０の第一面Ｓ１に含まれる伝熱領域２００ａの凹部２０１ｂ及び第二伝熱プレート３の伝熱部３０の第一面Ｓ１に含まれる伝熱領域３００ａの凹部３０１ｂによって形成される空間が、第一流路Ｒａを構成するとともに、第一伝熱プレート２の伝熱部２０の第二面Ｓ２に含まれる伝熱領域２００ｂの凹部２０２ｂ及び第二伝熱プレート３の伝熱部３０の第二面Ｓ２に含まれる伝熱領域３００ｂの凹部３０２ｂによって形成される空間が、第二流路Ｒｂを構成する。
【００６３】
また、複数の伝熱プレート２，３（第一伝熱プレート２、第二伝熱プレート３）の対応する貫通孔２０３，２０４，３０３，３０４同士がＸ軸方向に連なり、第一流路Ｒａのみに連通した一対の第一連通路Ｒａ１，Ｒａ２であって、第一流路Ｒａに対して第一流体Ａを流出入させる一対の第一連通路Ｒａ１，Ｒａ２が形成されるとともに、第二流路Ｒｂのみに連通した一対の第二連通路Ｒｂ１，Ｒｂ２であって、第二流路Ｒｂに対して第二流体Ｂを流出入させる一対の第二連通路Ｒｂ１，Ｒｂ２が形成される。
【００６４】
本実施形態に係るプレート式熱交換器１は、以上の通りであり、一方の第一連通路Ｒａ１に第一流体Ａを供給するとともに、一方の第二連通路Ｒｂ２に第二流体Ｂを供給すると、第一流体Ａは、一方の第一連通路Ｒａ１から複数の第一流路Ｒａのそれぞれに流入し、第二流体Ｂは、一方の第二連通路Ｒｂ１から複数の第二流路Ｒｂのそれぞれに流入する。
【００６５】
そうすると、図７及び図８に示す如く、第一流体Ａは、第一流路Ｒａ内でＺ軸方向に流通し、第二流体Ｂは、第二流路Ｒｂ内でＺ軸方向に流通する。すなわち、第一流体Ａは、第一流路Ｒａ内において、Ｚ軸方向における伝熱領域２００ａ，３００ａの一端側から他端側に向けて流通し、第二流体Ｂは、第二流路Ｒｂ内において、Ｚ軸方向における伝熱領域２００ｂ，３００ｂの他端側から一端側に向けて流通する。
【００６６】
より具体的に説明すると、図９に示す如く、第一流路Ｒａ内で流通する第一流体Ａは、伝熱領域２００ａ，３００ａにある凹部２０１ｂ，３０１ｂに沿って流れ、その凹部２０１ｂ，３０１ｂの含まれる凹凸群２０１，３０１の凸部２０１ａ，３０１ａ（凹部２０１ｂ，３０１ｂと隣り合う凸部２０１ａ，３０１ａ）に衝突する。その結果、第一流体Ａは、衝突した凸部２０１ａ，２０２ａ，３０１ａ，３０２ａの両側に分岐する。
【００６７】
そうすると、分岐した第一流体Ａは、衝突した凸部２０１ａ，３０１ａを含む凹凸群２０１，３０１の両側にある凹凸群２０１，３０１の凹部２０１ｂ，３０１ｂに沿って下流側に流れる。そして、凹部２０１ｂ，３０１ｂに沿って流れる第一流体Ａは、その凹部２０１ｂ，３０１ｂの含まれる凹凸群２０１，３０１の凸部２０１ａ，３０１ａ（凹部２０１ｂ，３０１ｂと隣り合う凸部２０１ａ，３０１ａ）に衝突する。その結果、凸部２０１ａ，３０１ａに衝突した第一流体Ａは，該凸部２０１ａ，３０１ａの両側に分岐する。
【００６８】
これにより、第一流体Ａは、元の凹凸群２０１，３０１に含まれる凹部２０１ｂ，３０１ｂに沿って流通する。すなわち、上流側の凸部２０１ａ，３０１ａによって分岐した第一流体Ａは、異なる列（隣の列）の凸部２０１ａ，３０１ａとの衝突によって元の列（凹凸群２０１，３０１）に合流する。このように、第一流体Ａは、分岐と合流とを繰り返しつつ下流側に流れる。これにより、第一流路Ｒａ内において、第一流体Ａの流れに乱れが生じる。
【００６９】
特に、本実施形態において、凹凸群２０１，３０１（凹凸群２０１，３０１の沿う仮想線ＶＬ）は、縦中心線ＣＬ１に対して４５°未満で傾斜しているため、第一流体Ａが流れる方向の成分を多く含んだ角度で配置される。これにより、第一流体Ａが下流側に向けて流通するに当たり、凹部２０１ｂ，３０１ｂに沿って流通し易くなるため、流通抵抗の増加が抑えられる。
【００７０】
本実施形態において、第二流路Ｒｂを画定する主伝熱部２０ａ，３０ａ（第二面Ｓ２にある伝熱領域２００ｂ，３００ｂ）の複数の凹凸群２０２，３０２は、第一流路Ｒａを画定する主伝熱部２０ａ，３０ａ（第一面Ｓ１にある伝熱領域２００ａ，３００ａ）の複数の凹凸群２０１，３０１に対して凹凸関係を逆にした態様であり、単一の凸部２０２ａ，３０２ａに対して二つの凸部２０２ａ，３０２ａが交差衝合しているため、図１０に示す如く、第二流路Ｒｂ内で流通する第二流体Ｂについても、第一流路Ｒａ内で流通する第一流体Ａと同様に、分岐及び合流を繰り返しつつ、下流側に流通する。
【００７１】
このように、第一流体Ａが第一流路Ｒａ内を流通し、第二流体Ｂが第二流路Ｒｂ内を流通することで、第一流体Ａと第二流体Ｂとは、第一流路Ｒａと第二流路Ｒｂとを区画する主伝熱部２０ａ，３０ａ（伝熱領域２００ａ，２００ｂ，３００ａ，３００ｂ）を介して熱交換する。そして、図２に示す如く、熱交換を終えた第一流体Ａは、第一流路Ｒａから他方の第一連通路Ｒａ２を経て外部に排出され、熱交換を終えた第二流体Ｂは、第二流路Ｒｂから他方の第二連通路Ｒｂ２を経て外部に排出される。
【００７２】
以上のように、本実施形態に係るプレート式熱交換器１は、Ｘ軸方向の両面に伝熱領域２００ａ，２００ｂ，３００ａ，３００ｂを含む伝熱プレート２，３であって、それぞれの伝熱領域２００ａ，２００ｂ，３００ａ，３００ｂがＸ軸方向に重ね合わされた複数の伝熱プレート２，３を備え、該複数の伝熱プレート２，３のそれぞれを境にして、第一流体ＡをＸ軸方向と直交するＺ軸方向に流通させる第一流路Ｒａと、第二流体ＢをＺ軸方向に流通させる第二流路ＲｂとがＸ軸方向で交互に形成され、伝熱領域２００ａ，２００ｂ，３００ａ，３００ｂは、Ｚ軸方向に延びる自身の縦中心線ＣＬ１に対して傾斜する方向に長手を有する凸部２０１ａ，２０２ａ，３０１ａ，３０２ａ及び凹部２０１ｂ，２０２ｂ，３０１ｂ，３０２ｂを含み且つ該凸部２０１ａ，２０２ａ，３０１ａ，３０２ａ及び凹部２０１ｂ，２０２ｂ，３０１ｂ，３０２ｂが前記傾斜する方向に延びる仮想線ＶＬに沿って交互に並ぶ凹凸群２０１，２０２，３０１，３０２であって、前記傾斜する方向と直交する方向に並ぶ複数の凹凸群２０１，２０２，３０１，３０２を有し、該複数の凹凸群２０１，２０２，３０１，３０２のそれぞれの凸部２０１ａ，２０２ａ，３０１ａ，３０２ａは、前記傾斜する方向と直交する方向で隣り合う凹凸群２０１，２０２，３０１，３０２の凹部２０１ｂ，２０２ｂ，３０１ｂ，３０２ｂに対して横並びに配置されるとともに、前記複数の凹凸群２０１，２０２，３０１，３０２のそれぞれの凹部２０１ｂ，２０２ｂ，３０１ｂ，３０２ｂは、前記傾斜する方向と直交する方向で隣り合う凹凸群２０１，２０２，３０１，３０２の凸部２０１ａ，２０２ａ，３０１ａ，３０２ａに対して横並びに配置され、伝熱領域２００ａ，２００ｂ，３００ａ，３００ｂを対向させて隣り合う伝熱プレート２，３は、互いの凹凸群２０１，２０２，３０１，３０２の凸部２０１ａ，２０２ａ，３０１ａ，３０２ａ同士を交差衝合させている。
【００７３】
上記構成によれば、伝熱プレート２，３（伝熱領域２００ａ，２００ｂ，３００ａ，３００ｂ）にある複数の凹凸群２０１，２０２，３０１，３０２の凸部２０１ａ，２０２ａ，３０１ａ，３０２ａ及び凹部２０１ｂ，２０２ｂ，３０１ｂ，３０２ｂのそれぞれが千鳥状に配置される。すなわち、複数の凸部２０１ａ，２０２ａ，３０１ａ，３０２ａが伝熱領域２００ａ，２００ｂ，３００ａ，３００ｂ内に千鳥状に配置され、複数の凹部２０１ｂ，２０２ｂ，３０１ｂ，３０２ｂが伝熱領域２００ａ，２００ｂ，３００ａ，３００ｂ内に複数の凸部２０１ａ，２０２ａ，３０１ａ，３０２ａを躱して千鳥状に配置される。
【００７４】
これにより、第一流体Ａは、第一流路ＲａでＺ軸方向に流通するに当たり、第一流路Ｒａを画定する伝熱プレート２，３（伝熱領域２００ａ，３００ａ）にある凹部２０１ｂ，３０１ｂに沿って流れ、該凹部２０１ｂ，３０１ｂの下流側で隣り合う凸部２０１ａ，３０１ａ（共通の凹凸群２０１，３０１の凸部２０１ａ，３０１ａ）と衝突する。
【００７５】
そうすると、第一流体Ａの流れが変わり、第一流体Ａは、周辺の凹部２０１ｂ，３０１ｂ（例えば、両側の凹凸群２０１，３０１の凹部２０１ｂ，３０１ｂ、相手方の伝熱プレート２，３の凹凸群２０１，３０１の凹部２０１ｂ，３０１ｂ）に乗り移って該凹部２０１ｂ，３０１ｂに沿って流れる。このように、第一流体Ａは、凹部２０１ｂ，３０１ｂに沿った流れと、凸部２０１ａ，３０１ａに対する衝突を繰り返しつつ、下流側に流れる。
【００７６】
また、第二流体Ｂは、第二流路ＲｂでＺ軸方向に流通するに当たり、第二流路Ｒｂを画定する伝熱プレート２，３（伝熱領域２００ｂ，３００ｂ）にある凹部２０２ｂ，３０２ｂに沿って流れ、該凹部２０２ｂ，３０２ｂの下流側で隣り合う凸部２０２ａ，３０２ａ（共通の凹凸群２０２，３０２の凸部２０２ａ，３０２ａ）と衝突する。
【００７７】
そうすると、第二流体Ｂの流れが変わり、第二流体Ｂは、周辺の凹部２０２ｂ，３０２ｂ（例えば、両側の凹凸群２０２，３０２の凹部２０２ｂ，３０２ｂ、相手方の伝熱プレート２，３の凹凸群２０２，３０２の凹部２０２ｂ，３０２ｂ）に乗り移って該凹部２０２ｂ，３０２ｂに沿って流れる。このように、第二流体Ｂは、凹部２０２ｂ，３０２ｂに沿った流れと、凸部２０２ａ，３０２ａに対する衝突を繰り返しつつ、下流側に流れる。
【００７８】
以上のように、第一流体Ａ及び第二流体Ｂのそれぞれが流路（第一流路Ｒａ又は第二流路Ｒｂ）を画定する伝熱領域２００ａ，２００ｂ，３００ａ，３００ｂにある凹部２０１ｂ，２０２ｂ，３０１ｂ，３０２ｂに沿って流れるため、上記構成のプレート式熱交換器１では、流通抵抗の増大が抑えられる。また、第一流体Ａ及び第二流体Ｂのそれぞれが、凹部２０１ｂ，２０２ｂ，３０１ｂ，３０２ｂを含む凹凸群２０１，２０２，３０１，３０２の凸部２０１ａ，２０２ａ，３０１ａ，３０２ａと衝突するため、上記構成のプレート式熱交換器１では、第一流体Ａ及び第二流体Ｂのそれぞれの流れに乱れが生じることになり、高い伝熱性能が得られる。
【００７９】
特に、本実施形態において、伝熱プレート２，３の伝熱領域２００ａ，２００ｂ，３００ａ，３００ｂにある複数の凹凸群２０１，２０２，３０１，３０２の凸部２０１ａ，２０２ａ，３０１ａ，３０２ａのそれぞれは、Ｘ軸方向で隣り合う相手方の伝熱プレート２，３の伝熱領域２００ａ，２００ｂ，３００ａ，３００ｂにある複数の凹凸群２０１，２０２，３０１，３０２のうちの少なくとも二つの凹凸群２０１，２０２，３０１，３０２の凸部２０１ａ，２０２ａ，３０１ａ，３０２ａと交差衝合している。
【００８０】
このようにすれば、凸部２０１ａ，３０１ａに衝突した第一流体Ａが該凸部２０１ａ，３０１ａを含む凹凸群２０１，３０１の両側にある凹凸群２０１，３０１の凹部２０１ｂ，３０１ｂに誘導され、凸部２０２ａ，３０２ａに衝突した第二流体Ｂが該凸部２０２ａ，３０２ａを含む凹凸群２０２，３０２の両側にある凹凸群２０２，３０２の凹部２０２ｂ，３０２ｂに誘導される。
【００８１】
具体的に説明すると、共通の伝熱領域２００ａ，２００ｂ，３００ａ，３００ｂ内にある複数の凹凸群２０１，２０２，３０１，３０２は、縦中心線ＣＬ１に対する傾斜方向（仮想線ＶＬの延びる方向）に対して直交方向に並ぶため、異なる凹凸群２０１，２０２，３０１，３０２の凸部２０１ａ，２０２ａ，３０１ａ，３０２ａは、凹凸群２０１，２０２，３０１，３０２の延びる方向（仮想線ＶＬの延びる方向）に対して直交する方向の異なる位置に配置される。すなわち、異なる凹凸群２０１，２０２，３０１，３０２の凸部２０１ａ，２０２ａ，３０１ａ，３０２ａは、縦中心線ＣＬ１に対する傾斜方向（仮想線ＶＬの延びる方向）と直交する方向に間隔をあけて配置される。
【００８２】
従って、伝熱プレート２，３の伝熱領域２００ａ，２００ｂ，３００ａ，３００ｂにある複数の凹凸群２０１，２０２，３０１，３０２の凸部２０１ａ，２０２ａ，３０１ａ，３０２ａのそれぞれに対し、該凸部２０１ａ，２０２ａ，３０１ａ，３０２ａの長手方向に間隔をあけて相手方の伝熱プレート２，３の少なくとも二つの凸部２０１ａ，２０２ａ，３０１ａ，３０２ａ（異なる凹凸群２０１，２０２，３０１，３０２の凸部２０１ａ，２０２ａ，３０１ａ，３０２ａ）が交差衝合する。
【００８３】
すなわち、伝熱プレート２，３の伝熱領域にある複数の凹凸群２０１，２０２，３０１，３０２の凸部２０１ａ，２０２ａ，３０１ａ，３０２ａのそれぞれの端部又はその近傍に対し、相手方の伝熱プレート２，３の凸部２０１ａ，２０２ａ，３０１ａ，３０２ａ（異なる凹凸群２０１，２０２，３０１，３０２の凸部２０１ａ，２０２ａ，３０１ａ，３０２ａ）が交差衝合する。
【００８４】
これにより、凸部２０１ａ，３０１ａに衝突した第一流体Ａが、相手方の伝熱プレート２，３側に流れようとしても該相手方の伝熱プレート２，３の凸部２０１ａ，３０１ａによって阻止され、結果的に衝突した凸部２０１ａ，３０１ａを含む凹凸群２０１，３０１の両側にある凹凸群２０１，３０１の凹部２０１ｂ，３０１ｂに誘導（分岐）され、該凹部２０１ｂ，３０１ｂに沿って流れる。そして、凹部２０１ｂ，３０１ｂに沿って流れた第一流体Ａは、該凹部２０１ｂ，３０１ｂと隣り合う凸部２０１ａ，３０１ａと衝突する。
【００８５】
そうすると、ここでも第一流体Ａは、相手方の伝熱プレート２，３側に流れようとするが、該相手方の伝熱プレート２，３の凸部２０１ａ，３０１ａによって阻止され、結果的に衝突した凸部２０１ａ，３０１ａを含む凹凸群２０１，３０１の両側にある凹凸群２０１，３０１の凹部２０１ｂ，３０１ｂに誘導（分岐）される。すなわち、元の凹凸群２０１，３０１に含まれる凹部２０１ｂ，３０１ｂに誘導（合流）される。これにより、第一流体Ａは、凸部２０１ａ，３０１ａとの衝突で分岐と合流とを繰り返して、下流側に流れる。この流れ（凸部２０１ａ，３０１ａとの衝突で分岐と合流とを繰り返す流れ）は、第二流体Ｂも同様である。
【００８６】
このように、第一流路Ｒａに第一流体Ａが凹部２０１ｂ，３０１ｂを流れる機会があり、第二流路Ｒｂに第二流体Ｂが凹部２０２ｂ，３０２ｂを流れる機会があるため、それぞれの流路で流通抵抗が高くなることが抑制される。また、第一流路Ｒａ内で第一流体Ａが分岐と合流を繰り返し、第二流路Ｒｂ内で第二流体Ｂが分岐と合流を繰り返すことで、第一流体Ａ及び第二流体Ｂのそれぞれの流れに乱れが生じる結果、第一流体Ａと第二流体Ｂとの熱交換性能（伝熱性能）が高くなる。
【００８７】
さらに、本実施形態に係るプレート式熱交換器１は、第一流路Ｒａ内で第一流体Ａが分岐と合流を繰り返し、第二流路Ｒｂ内で第二流体Ｂが分岐と合流を繰り返すことで、第一流体Ａ及び第二流体Ｂのそれぞれの流れに乱れが生じるため、この流れの乱れによって混合機能を発揮する。
【００８８】
これにより、本実施形態に係るプレート式熱交換器１は、第一流体Ａ又は第二流体Ｂの少なくとも何れか一方に含まれる成分が流通過程で分離することを防止できる。
【００８９】
また、本実施形態に係るプレート式熱交換器１は、第一流路Ｒａ又は第二流路Ｒｂの何れか一方に対し、二種類以上の液体を合わせた流体、或いは一種類以上の液体と粉体とを合わせた流体を第一流体Ａ又は第二流体Ｂとして流通させることで、第一流体Ａ又は第二流体Ｂを構成する二種類以上の液体、或いは一種類以上の液体と粉体とを混合させる（ミキシングする）ことができる。
【００９０】
従って、本実施形態に係るプレート式熱交換器１は、第一流体Ａ又は第二流体Ｂの何れか一方に含まれる複数の成分を混合させる混合器（ミキサー）として機能することもできる。すなわち、本実施形態に係るプレート式熱交換器１は、第一流体Ａ又は第二流体Ｂの何れか一方に含まれる複数の成分を混合させつつ、第一流体Ａと第二流体Ｂとを熱交換させる（第一流体Ａ又は第二流体Ｂの何れか一方を加熱又は冷却させる）ことで、第一流体Ａ又は第二流体Ｂの何れか一方に含まれる成分同士を反応させる反応器として機能する。
【００９１】
また、本実施形態において、凹凸群２０１，２０２，３０１，３０２の配置の基準となる仮想線ＶＬは、Ｚ軸方向に延びる縦中心線ＣＬ１に対して４５°未満の角度で傾斜しているため、凹凸群２０１，２０２，３０１，３０２に含まれる凹部２０１ｂ，２０２ｂ，３０１ｂ，３０２ｂの長手に延びる方向の成分に、第一流体Ａ及び第二流体Ｂの流れ方向の成分の方が該流れ方向と直交する方向の成分よりも多く含まれる。
【００９２】
これにより、第一流路Ｒａで第一流体Ａが流れ易く、第二流路Ｒｂで第二流体Ｂが流れ易くなる。すなわち、第一流路Ｒａ及び第二流路Ｒｂのそれぞれにおいて、流通抵抗が高くなることが抑制される。
【００９３】
このように、本実施形態に係るプレート式熱交換器１によれば、流体の流通抵抗の増加を抑えつつ、高い伝熱性能を得ることができるという優れた効果を奏し得る。
【００９４】
次に、本発明の第二実施形態に係るプレート式熱交換器について、添付図面を参照しつつ説明する。本実施形態に係るプレート式熱交換器は、第一実施形態と同一の構成又は相当する構成を有する。これに伴い、本実施形態に係るプレート式熱交換器の説明に当たり、第一実施形態と同一の構成又は相当する構成については、同一名称及び同一符号を付すこととする。
【００９５】
プレート式熱交換器は、図１１に示す如く、第一流体Ａと第二流体Ｂとを熱交換させるもので、第一方向に重ね合わされた複数の伝熱プレート２，３を備える。
【００９６】
なお、以下の説明においても、第一方向をＸ軸方向とし、第一方向と直交する第二方向をＺ軸方向とし、第一方向及び第二方向のそれぞれと直交する第三方向をＹ軸方向とする。これに伴い、各図には、各方向に対応した直交三軸（Ｘ軸方向と対応するＸ軸、Ｙ軸方向と対応するＹ軸、及びＺ軸方向と対応するＺ軸）を補助的に図示している。
【００９７】
本実施形態に係るプレート式熱交換器１において、図１２に示す如く、複数の伝熱プレート２，３のそれぞれを境にして、第一流体ＡをＺ軸方向に流通させる第一流路Ｒａと、第二流体ＢをＺ軸方向に流通させる第二流路Ｒｂとが、Ｘ軸方向で交互に形成されている。
【００９８】
複数の伝熱プレート２，３のそれぞれは、図１３乃至図１６に示す如く、Ｘ軸方向の両面Ｓ１，Ｓ２に伝熱領域２００ａ，２００ｂ，３００ａ，３００ｂを含む。より具体的に説明すると、複数の伝熱プレート２，３のそれぞれは、Ｘ軸方向に第一面Ｓ１と該第一面Ｓ１の反対側の第二面Ｓ２を有する伝熱部２０，３０と、伝熱部２０，３０の外周全周から延出した環状部２１，３１とを備える。
【００９９】
伝熱部２０，３０の第一面Ｓ１及び第二面Ｓ２は、第一流体Ａと第二流体Ｂとの熱交換に寄与する伝熱領域２００ａ，２００ｂ，３００ａ，３００ｂを含む。
【０１００】
具体的に説明すると、伝熱部２０，３０は、Ｘ軸方向から見て四角形状に形成される。本実施形態において、伝熱部２０，３０は、Ｘ軸方向から見てＺ軸方向に長手をなした長方形状に形成される。そして、伝熱部２０，３０は、Ｚ軸方向に延びる中心線（以下、縦中心線という）ＣＬ１と、Ｙ軸方向に延びる中心線（以下、横中心線という）ＣＬ２との交点を含む主伝熱部２０ａ，３０ａと、Ｚ軸方向の主伝熱部２０ａ，３０ａの両側にある一対の端部２０ｂ，３０ｂとを含む。
【０１０１】
主伝熱部２０ａ，３０ａは、Ｘ軸方向から見て四角形状に形成される。本実施形態において、主伝熱部２０ａ，３０ａは、Ｚ軸方向に長手をなした長方形状に形成される。一対の端部２０ｂ，３０ｂは、主伝熱部２０ａ，３０ａと連続し、伝熱部２０，３０全体をＸ軸方向から見て四角形状（長方形状）に形成している。
【０１０２】
伝熱部２０，３０のうちの主伝熱部２０ａ，３０ａの第一面Ｓ１及び第二面Ｓ２は、伝熱領域２００ａ，２００ｂ，３００ａ，３００ｂとされる。第一面Ｓ１及び第二面Ｓ２の伝熱領域２００ａ，２００ｂ，３００ａ，３００ｂのそれぞれは、縦中心線ＣＬ１に対して傾斜する方向（以下、傾斜方向という）に長手を有する凸部２０１ａ，２０２ａ，３０１ａ，３０２ａ及び凹部２０１ｂ，２０２ｂ，３０１ｂ，３０２ｂを含み且つ該凸部２０１ａ，２０２ａ，３０１ａ，３０２ａ及び凹部２０１ｂ，２０２ｂ，３０１ｂ，３０２ｂが傾斜方向に延びる仮想線ＶＬに沿って交互に並ぶ凹凸群２０１，２０２，３０１，３０２であって、傾斜方向と直交する方向に並ぶ複数の凹凸群２０１，２０２，３０１，３０２を有する。
【０１０３】
複数の凹凸群２０１，２０２，３０１，３０２のそれぞれの凸部２０１ａ，２０２ａ，３０１ａ，３０２ａは、傾斜方向と直交する方向で隣り合う凹凸群２０１，２０２，３０１，３０２の凹部２０１ｂ，２０２ｂ，３０１ｂ，３０２ｂと横並びに配置される。これに対し、複数の凹凸群２０１，２０２，３０１，３０２のそれぞれの凹部２０１ｂ，２０２ｂ，３０１ｂ，３０２ｂは、傾斜方向と直交する方向で隣り合う凹凸群２０１，２０２，３０１，３０２の凸部２０１ａ，２０２ａ，３０１ａ，３０２ａと横並びに配置される。
【０１０４】
すなわち、複数列の凹凸群２０１，２０２，３０１，３０２の凸部２０１ａ，２０２ａ，３０１ａ，３０２ａは、伝熱領域２００ａ，２００ｂ，３００ａ，３００ｂ内で千鳥状に配置され、複数列の凹凸群２０１，２０２，３０１，３０２の凹部２０１ｂ，２０２ｂ，３０１ｂ，３０２ｂは、伝熱領域２００ａ，２００ｂ，３００ａ，３００ｂ内で凸部２０１ａ，２０２ａ，３０１ａ，３０２ａの間に配置され、該伝熱領域２００ａ，２００ｂ，３００ａ，３００ｂ内で千鳥状に配置されている。
【０１０５】
より正確に説明すると、本実施形態において、複数の凹凸群２０１，２０２，３０１，３０２のそれぞれの凸部２０１ａ，２０２ａ，３０１ａ，３０２ａは、隣り合う凹凸群２０１，２０２，３０１，３０２の凹部２０１ｂ，２０２ｂ，３０１ｂ，３０２ｂとＹ軸方向で横並びに配置される。これに対し、複数の凹凸群２０１，２０２，３０１，３０２のそれぞれの凹部２０１ｂ，２０２ｂ，３０１ｂ，３０２ｂは、隣り合う凹凸群２０１，２０２，３０１，３０２の凸部２０１ａ，２０２ａ，３０１ａ，３０２ａとＹ軸方向で横並びに配置される。
【０１０６】
これにより、異なる凹凸群２０１，２０２，３０１，３０２の凸部２０１ａ，２０２ａ，３０１ａ，３０２ａと凹部２０１ｂ，２０２ｂ，３０１ｂ，３０２ｂとがＹ軸方向に交互に配置された複数の群（行）が、Ｚ軸方向に複数並んで形成されている。
【０１０７】
傾斜方向は、縦中心線ＣＬ１に対して４５°未満の角度で傾斜する方向に設定される。これに伴い、縦中心線ＣＬ１に対する仮想線ＶＬの傾斜角度θ１は、４５°未満に設定される。すなわち、横中心線ＣＬ２に対する仮想線ＶＬの傾斜角度θ２は、４５°よりも大きく設定される。本実施形態において、縦中心線ＣＬ１に対する仮想線ＶＬの傾斜角度θ１は、３０°乃至４０°に設定される。本実施形態において、横中心線ＣＬ２に対する仮想線ＶＬの傾斜角度θ２は、６０°乃至７０°に設定される。
【０１０８】
これにより、複数の伝熱プレート２，３は、伝熱部２０，３０（伝熱領域２００ａ，２００ｂ，３００ａ，３００ｂ）を対向させた状態で重ね合わされることで、隣り合う伝熱プレート２，３の互いの凹凸群２０１，２０２，３０１，３０２の凸部２０１ａ，２０２ａ，３０１ａ，３０２ａ同士を交差衝合させるようになっている。
【０１０９】
ここで、各凹凸群２０１，２０２，３０１，３０２に含まれる凸部２０１ａ，２０２ａ，３０１ａ，３０２ａの長手方向の長さ及び凹部２０１ｂ，２０２ｂ，３０１ｂ，３０２ｂの長手方向の長さ（仮想線ＶＬの延びる方向に並ぶ凸部２０１ａ，２０２ａ，３０１ａ，３０２ａ同士の間隔）は、一つの凸部２０１ａ，２０２ａ，３０１ａ，３０２ａが隣り合う（相手方の）伝熱プレート２，３の伝熱領域２００ａ，２００ｂ，３００ａ，３００ｂに含まれる一つ（一列）の凹凸群２０１，２０２，３０１，３０２と交差（一つの凹凸群２０１，２０２，３０１，３０２の凸部２０１ａ，２０２ａ，３０１ａ，３０２ａに対して交差衝合）するように設定される。
【０１１０】
凸部２０１ａ，２０２ａ，３０１ａ，３０２ａ（凸部２０１ａ，２０２ａ，３０１ａ，３０２ａの頂上）と凹部２０１ｂ，２０２ｂ，３０１ｂ，３０２ｂ（凹部２０１ｂ，２０２ｂ，３０１ｂ，３０２ｂの底）とは、Ｘ軸方向における位置を異にする。そのため、凸部２０１ａ，２０２ａ，３０１ａ，３０２ａと凹部２０１ｂ，２０２ｂ，３０１ｂ，３０２ｂとの間には、凸部２０１ａ，２０２ａ，３０１ａ，３０２ａの頂上から凹部２０１ｂ，２０２ｂ，３０１ｂ，３０２ｂの底(或いは、凹部２０１ｂ，２０２ｂ，３０１ｂ，３０２ｂの底から凸部２０１ａ，２０２ａ，３０１ａ，３０２ａの頂上）に繋がる中間領域（採番しない）が形成されている。
【０１１１】
この中間領域は、凹凸群２０１，２０２，３０１，３０２にある凸部２０１ａ，２０２ａ，３０１ａ，３０２ａと凹部２０１ｂ，２０２ｂ，３０１ｂ，３０２ｂとの間や、隣り合う凹凸群２０１，２０２，３０１，３０２の凸部２０１ａ，２０２ａ，３０１ａ，３０２ａと凹部２０１ｂ，２０２ｂ，３０１ｂ，３０２ｂとの間に配置される。
【０１１２】
中間領域は、凸部２０１ａ，２０２ａ，３０１ａ，３０２ａの頂上と凹部２０１ｂ，２０２ｂ，３０１ｂ，３０２ｂの底との途中位置にＺ軸方向及びＹ軸方向に広がる中段部位が含まれてもよいが、本実施形態においては、凸部２０１ａ，２０２ａ，３０１ａ，３０２ａの頂上から凹部２０１ｂ，２０２ｂ，３０１ｂ，３０２ｂの底に向けて（或いは、凹部２０１ｂ，２０２ｂ，３０１ｂ，３０２ｂの底から凸部２０１ａ，２０２ａ，３０１ａ，３０２ａの頂上に向けて）連続的に傾斜している。
【０１１３】
一対の端部２０ｂ，３０ｂのそれぞれには、Ｘ軸方向に貫通した一対の貫通孔２０３，２０４，３０３，３０４が設けられている。一対の端部２０ｂ，３０ｂのそれぞれにおいて、一対の貫通孔２０３，２０４，３０３，３０４は、Ｙ軸方向に間隔をあけて配置されている。本実施形態において、一対の貫通孔２０３，２０４，３０３，３０４は、縦中心線ＣＬ１を挟んで配置されている。
【０１１４】
本実施形態において、複数の伝熱プレート２，３のそれぞれは、金属プレートをプレス成型したものである。これに伴い、各伝熱プレート２，３において、第一面Ｓ１の伝熱領域２００ａ，３００ａの凸部２０１ａ，３０１ａと第二面Ｓ２の伝熱領域２００ｂ，３００ｂの凹部２０２ｂ，３０２ｂとが表裏の関係にあり、第一面Ｓ１の伝熱領域２００ａ，３００ａの凹部２０１ｂ，３０１ｂと第二面Ｓ２の伝熱領域２００ｂ，３００ｂの凸部２０２ａ，３０２ａとが表裏の関係にある。すなわち、伝熱プレート２，３の第一面Ｓ１の伝熱領域２００ａ，３００ａにある凹凸群２０１，３０１と、伝熱プレート２，３の第二面Ｓ２の伝熱領域２００ｂ，３００ｂにある凹凸群２０２，３０２とは、対応する位置で凹凸関係が反対で形成されている。
【０１１５】
本実施形態に係るプレート式熱交換器１は、二種類の伝熱プレート２，３を含む。この二種類の伝熱プレート２，３は、環状部２１，３１の伝熱部２０，３０からの延出方向及び凹凸群２０１，２０２，３０１，３０２の凹凸の位置を異にする以外は、同一構成である。
【０１１６】
具体的に説明すると、二種類の伝熱プレート２，３は、主伝熱部２０ａ，３０ａ及び一対の端部２０ｂ，３０ｂを含む伝熱部２０，３０と、環状部２１，３１とを備え、主伝熱部２０ａ，３０ａの第一面Ｓ１及び第二面Ｓ２の伝熱領域２００ａ，２００ｂ，３００ａ，３００ｂが複数の凹凸群２０１，２０２，３０１，３０２を有する点で共通している。
【０１１７】
二種類の伝熱プレート２，３のうちの一方の伝熱プレート（以下、第一伝熱プレートという）２において、環状部２１は、伝熱部２０の第二面Ｓ２側に延出し、二種類の伝熱プレート２，３のうちの他方の伝熱プレート（以下、第二伝熱プレートという）３において、環状部３１は、伝熱部３０の第一面Ｓ１側に延出している。
【０１１８】
第一伝熱プレート２の伝熱部２０（主伝熱部２０ａ）の第一面Ｓ１及び第二面Ｓ２のそれぞれの伝熱領域２００ａ，２００ｂにおいて、複数の凹凸群２０１，２０２は、Ｘ軸方向から見てＹ軸方向における伝熱部２０の一端側から他端側に向けて先下りに傾斜している。これに対し、第二伝熱プレート３の伝熱部３０（主伝熱部３０ａ）の第一面Ｓ１及び第二面Ｓ２のそれぞれの伝熱領域３００ａ，３００ｂにおいて、複数の凹凸群３０１，３０２は、Ｘ軸方向から見てＹ軸方向における伝熱部３０の他端側から一端側に向けて先下りに傾斜している。本実施形態において、第二伝熱プレート３の複数の凹凸群３０１，３０２は、Ｘ軸方向における同一側から見て、第一伝熱プレート２の複数の凹凸群２０１，２０２を縦中心線ＣＬ１で反転させた配置になっている。
【０１１９】
そして、第一伝熱プレート２及び第二伝熱プレート３は、図１２に示す如く、Ｘ軸方向で交互に配置され、隣り合う第一伝熱プレート２及び第二伝熱プレート３の環状部２１，３１同士が嵌合される（図１３参照）。この状態で、第一伝熱プレート２の伝熱部２０の第一面Ｓ１は、第二伝熱プレート３の伝熱部３０の第一面Ｓ１と対向し、第一伝熱プレート２の伝熱部２０の第二面Ｓ２は、第二伝熱プレート３の伝熱部３０の第二面Ｓ２と対向する。
【０１２０】
この状態において、第一伝熱プレート２の伝熱部２０の第一面Ｓ１（伝熱領域２００ａ）にある複数の凹凸群２０１のそれぞれの凸部２０１ａに対し、第二伝熱プレート３の伝熱部３０の第一面Ｓ１（伝熱領域３００ａ）に含まれる一列の凹凸群３０１が交差し、その凹凸群３０１の凸部３０１ａが交差衝合する。すなわち、第一伝熱プレート２の伝熱部２０の第一面Ｓ１（伝熱領域２００ａ）にある複数の凹凸群２０１のそれぞれの凸部２０１ａに対し、第二伝熱プレート３の伝熱部３０の第一面Ｓ１（伝熱領域３００ａ）にある一つの凸部３０１ａが交差衝合する。
【０１２１】
また、第一伝熱プレート２の伝熱部２０の第二面Ｓ２（伝熱領域２００ｂ）にある複数の凹凸群２０２のそれぞれの凸部２０２ａに対し、第二伝熱プレート３の伝熱部３０の第二面Ｓ２（伝熱領域３００ｂ）に含まれる一列の凹凸群３０２が交差し、その凹凸群３０２の凸部３０２ａが交差衝合する。すなわち、第一伝熱プレート２の伝熱部２０の第二面Ｓ２（伝熱領域２００ｂ）にある複数の凹凸群２０２のそれぞれの凸部２０２ａに対し、第二伝熱プレート３の伝熱部３０の第二面Ｓ２（伝熱領域３００ｂ）にある一つの凸部３０２ａが交差衝合する。
【０１２２】
そして、Ｘ軸方向に重ね合わされた複数の伝熱プレート２，３(第一伝熱プレート２、第二伝熱プレート３）の環状部２１，３１間や、貫通孔２０３，２０４，３０３，３０４の周囲等が適宜液密にシールされる。本実施形態において、Ｘ軸方向に重ね合わされた複数の伝熱プレート２，３は、ロウ付けにより一体にされ、該ロウ付けによって環状部２１，３１間や貫通孔２０３，２０４，３０３，３０４の周囲等がシールされる。
【０１２３】
これにより、複数の伝熱プレート２，３の伝熱部２０，３０（第一伝熱プレート２の伝熱部２０、第二伝熱プレート３の伝熱部３０）を境にして、第一流体ＡをＺ軸方向に流通させる第一流路Ｒａと、第二流体ＢをＺ軸方向に流通させる第二流路ＲｂとがＸ軸方向で交互に形成される。すなわち、第一伝熱プレート２の伝熱部２０の第一面Ｓ１に含まれる伝熱領域２００ａの凹部２０１ｂ及び第二伝熱プレート３の伝熱部３０の第一面Ｓ１に含まれる伝熱領域３００ａの凹部３０１ｂによって形成される空間が、第一流路Ｒａを構成するとともに、第一伝熱プレート２の伝熱部２０の第二面Ｓ２に含まれる伝熱領域２００ｂの凹部２０２ｂ及び第二伝熱プレート３の伝熱部３０の第二面Ｓ２に含まれる伝熱領域３００ｂの凹部３０２ｂによって形成される空間が、第二流路Ｒｂを構成する。
【０１２４】
また、複数の伝熱プレート２，３（第一伝熱プレート２、第二伝熱プレート３）の対応する貫通孔２０３，２０４，３０３，３０４同士がＸ軸方向に連なり、第一流路Ｒａのみに連通した一対の第一連通路Ｒａ１，Ｒａ２であって、第一流路Ｒａに対して第一流体Ａを流出入させる一対の第一連通路Ｒａ１，Ｒａ２が形成されるとともに、第二流路Ｒｂのみに連通した一対の第二連通路Ｒｂ１，Ｒｂ２であって、第二流路Ｒｂに対して第二流体Ｂを流出入させる一対の第二連通路Ｒｂ１，Ｒｂ２が形成される。
【０１２５】
本実施形態に係るプレート式熱交換器１は、以上の通りであり、一方の第一連通路Ｒａ１に第一流体Ａを供給するとともに、一方の第二連通路Ｒｂ１に第二流体Ｂを供給すると、第一流体Ａは、一方の第一連通路Ｒａ１から複数の第一流路Ｒａのそれぞれに流入し、第二流体Ｂは、一方の第二連通路Ｒｂ１から複数の第二流路Ｒｂのそれぞれに流入する。
【０１２６】
そうすると、図１７及び図１８に示す如く、第一流体Ａは、第一流路Ｒａ内でＺ軸方向に流通し、第二流体Ｂは、第二流路Ｒｂ内でＺ軸方向に流通する。すなわち、第一流体Ａは、第一流路Ｒａ内において、Ｚ軸方向における伝熱領域２００ａ，３００ａの一端側から他端側に向けて流通し、第二流体Ｂは、第二流路Ｒｂ内において、Ｚ軸方向における伝熱領域２００ｂ，３００ｂの他端側から一端側に向けて流通する。
【０１２７】
より具体的に説明すると、図１９に示す如く、第一流路Ｒａ内で流通する第一流体Ａは、伝熱領域２００ａ，３００ａにある凹部２０１ｂ，３０１ｂに沿って流れ、その凹部２０１ｂ，３０１ｂの含まれる凹凸群２０１，３０１の凸部２０１ａ，３０１ａ（凹部２０１ｂ，３０１ｂと隣り合う凸部２０１ａ，３０１ａ）に衝突する。その結果、第一流体Ａは、凸部２０１ａ，３０１ａを乗り超えようとする。
【０１２８】
そうすると、第一流体Ａは、流通していた凹部２０１ｂ，３０１ｂのある伝熱プレート２，３に対する相手方の伝熱プレート２，３側に流れようとする。
【０１２９】
本実施形態において、隣り合う伝熱プレート２，３の単一の凸部２０１ａ，３０１ａ同士が交差衝合し、相手方の伝熱プレート２，３の凸部２０１ａ，３０１ａに対して、該凸部２０１ａ，３０１ａを含む凹凸群２０１，３０１と横並びにある別の凹凸群２０１，３０１の凹部２０１ｂ，３０１ｂが横並びで存在する。
【０１３０】
そのため、凸部２０１ａ，３０１ａに衝突して流通方向を変更した第一流体Ａは、相手方の伝熱プレート２，３の凹部２０１ｂ，３０１ｂに乗り移り、該凹部２０１ｂ，３０１ｂに沿って流通する。そして、その凹部２０１ｂ，３０１ｂの含まれる凹凸群２０１，３０１の凸部２０１ａ，３０１ａ（凹部２０１ｂ，３０１ｂと隣り合う凸部２０１ａ，３０１ａ）に衝突する。これに伴い、第一流体Ａは、凸部２０１ａ，３０１ａを乗り超えようとし、流通していた凹部２０１ｂ，３０１ｂのある伝熱プレート２，３に対する相手方の伝熱プレート２，３側に流れようとする。
【０１３１】
本実施形態において、隣り合う伝熱プレート２，３の単一の凸部２０１ａ，２０２ａ，３０１ａ，３０２ａ同士が中央で交差衝合し、相手方の伝熱プレート２，３の凸部２０１ａ，３０１ａに対し、該凸部２０１ａ，３０１ａを含む凹凸群２０１，３０１と横並びにある別の凹凸群２０１，３０１の凹部２０１ｂ，３０１ｂが横並びで存在するため、凸部２０１ａ，３０１ａに衝突して流通方向を変更した第一流体Ａは、相手方の伝熱プレート２，３の凹部２０１ｂ，３０１ｂに乗り移り、該凹部２０１ｂ，３０１ｂに沿って流通する。
【０１３２】
このように、第一流体Ａは、隣り合う伝熱プレート２，３の複数の凹部２０１ｂ，３０１ｂ（隣り合う伝熱プレート２，３の傾斜方向を異にした凹部２０１ｂ，３０１ｂ）を順々に乗り移りながら下流側に向けて移動する。すなわち、第一流体Ａは、螺旋流を作りながら下流側に向けて流通する。これにより、第一流路Ｒａ内において、第一流体Ａの流れに乱れが生じる。
【０１３３】
特に、本実施形態において、凹凸群２０１，３０１（凹凸群２０１，３０１の沿う仮想線ＶＬ）が縦中心線ＣＬ１に対して４５°未満で傾斜しているため、第一流体Ａが流れる方向の成分を多く含んだ角度で配置される。これにより、第一流体Ａが下流側に向けて流通するに当たり、凹部２０１ｂ，３０１ｂに沿って流通し易くなるため、流通抵抗の増加が抑えられる。
【０１３４】
本実施形態において、第二流路Ｒｂを画定する主伝熱部２０ａ，３０ａ（第二面Ｓ２にある伝熱領域２００ｂ，３００ｂ）の複数の凹凸群２０２，３０２は、第一流路Ｒａを画定する主伝熱部２０ａ，３０ａ（第一面Ｓ１にある伝熱領域２００ａ，３００ａ）の複数の凹凸群２０１，３０１に対して凹凸関係を逆にした態様であり、単一の凸部２０１ａ，３０１ａに対して単一の凸部２０１ａ，３０１ａが交差衝合しているため、図２０に示す如く、第二流路Ｒｂ内で流通する第二流体Ｂについても、第一流路Ｒａ内で流通する第一流体Ａと同様に、螺旋流を作りつつ、下流側に流通する。
【０１３５】
このように、第一流体Ａが第一流路Ｒａ内を流通し、第二流体Ｂが第二流路Ｒｂ内を流通することで、第一流体Ａと第二流体Ｂとは、第一流路Ｒａと第二流路Ｒｂとを区画する主伝熱部２０ａ，３０ａ（伝熱領域２００ａ，２００ｂ，３００ａ，３００ｂ）を介して熱交換する。そして、図１２に示す如く、熱交換を終えた第一流体Ａは、第一流路Ｒａから他方の第一連通路Ｒａ２を経て外部に排出され、熱交換を終えた第二流体Ｂは、第二流路Ｒｂから他方の第二連通路Ｒｂ２を経て外部に排出される。
【０１３６】
以上のように、本実施形態に係るプレート式熱交換器１は、Ｘ軸方向の両面に伝熱領域２００ａ，２００ｂ，３００ａ，３００ｂを含む伝熱プレート２，３であって、それぞれの伝熱領域２００ａ，２００ｂ，３００ａ，３００ｂがＸ軸方向に重ね合わされた複数の伝熱プレート２，３を備え、該複数の伝熱プレート２，３のそれぞれを境にして、第一流体ＡをＸ軸方向と直交するＺ軸方向に流通させる第一流路Ｒａと、第二流体ＢをＺ軸方向に流通させる第二流路ＲｂとがＸ軸方向で交互に形成され、伝熱領域２００ａ，２００ｂ，３００ａ，３００ｂは、Ｚ軸方向に延びる自身の縦中心線ＣＬ１に対して傾斜する方向に長手を有する凸部２０１ａ，２０２ａ，３０１ａ，３０２ａ及び凹部２０１ｂ，２０２ｂ，３０１ｂ，３０２ｂを含み且つ該凸部２０１ａ，２０２ａ，３０１ａ，３０２ａ及び凹部２０１ｂ，２０２ｂ，３０１ｂ，３０２ｂが前記傾斜する方向に延びる仮想線ＶＬに沿って交互に並ぶ凹凸群２０１，２０２，３０１，３０２であって、前記傾斜する方向と直交する方向に並ぶ複数の凹凸群２０１，２０２，３０１，３０２を有し、該複数の凹凸群２０１，２０２，３０１，３０２のそれぞれの凸部２０１ａ，２０２ａ，３０１ａ，３０２ａは、前記傾斜する方向と直交する方向で隣り合う凹凸群２０１，２０２，３０１，３０２の凹部２０１ｂ，２０２ｂ，３０１ｂ，３０２ｂに対して横並びに配置されるとともに、前記複数の凹凸群２０１，２０２，３０１，３０２のそれぞれの凹部２０１ｂ，２０２ｂ，３０１ｂ，３０２ｂは、前記傾斜する方向と直交する方向で隣り合う凹凸群２０１，２０２，３０１，３０２の凸部２０１ａ，２０２ａ，３０１ａ，３０２ａに対して横並びに配置され、伝熱領域２００ａ，２００ｂ，３００ａ，３００ｂを対向させて隣り合う伝熱プレート２，３は、互いの凹凸群２０１，２０２，３０１，３０２の凸部２０１ａ，２０２ａ，３０１ａ，３０２ａ同士を交差衝合させていることを特徴とする。
【０１３７】
上記構成によれば、伝熱プレート２，３（伝熱領域２００ａ，２００ｂ，３００ａ，３００ｂ）にある複数の凹凸群２０１，２０２，３０１，３０２の凸部２０１ａ，２０２ａ，３０１ａ，３０２ａ及び凹部２０１ｂ，２０２ｂ，３０１ｂ，３０２ｂのそれぞれが千鳥状に配置される。すなわち、複数の凸部２０１ａ，２０２ａ，３０１ａ，３０２ａが伝熱領域２００ａ，２００ｂ，３００ａ，３００ｂ内に千鳥状に配置され、複数の凹部２０１ｂ，２０２ｂ，３０１ｂ，３０２ｂが伝熱領域２００ａ，２００ｂ，３００ａ，３００ｂ内に複数の凸部２０１ａ，２０２ａ，３０１ａ，３０２ａを躱して千鳥状に配置される。
【０１３８】
これにより、第一流体Ａは、第一流路ＲａでＺ軸方向に流通するに当たり、第一流路Ｒａを画定する伝熱プレート２，３（伝熱領域２００ａ，３００ａ）にある凹部２０１ｂ，３０１ｂに沿って流れ、該凹部２０１ｂ，３０１ｂの下流側で隣り合う凸部２０１ａ，３０１ａ（共通の凹凸群２０１，３０１の凸部２０１ａ，３０１ａ）と衝突する。
【０１３９】
そうすると、第一流体Ａの流れが変わり、第一流体Ａは、周辺の凹部２０１ｂ，３０１ｂ（例えば、両側の凹凸群２０１，３０１の凹部２０１ｂ，３０１ｂ、相手方の伝熱プレート２，３の凹凸群２０１，３０１の凹部２０１ｂ，３０１ｂ）に乗り移って該凹部２０１ｂ，３０１ｂに沿って流れる。このように、第一流体Ａは、凹部２０１ｂ，３０１ｂに沿った流れと、凸部２０１ａ，３０１ａに対する衝突を繰り返しつつ、下流側に流れる。
【０１４０】
また、第二流体Ｂは、第二流路ＲｂでＺ軸方向に流通するに当たり、第二流路Ｒｂを画定する伝熱プレート２，３（伝熱領域２００ｂ，３００ｂ）にある凹部２０２ｂ，３０２ｂに沿って流れ、該凹部２０２ｂ，３０２ｂの下流側で隣り合う凸部２０２ａ，３０２ａ（共通の凹凸群２０２，３０２の凸部２０２ａ，３０２ａ）と衝突する。
【０１４１】
そうすると、第二流体Ｂの流れが変わり、第二流体Ｂは、周辺の凹部２０２ｂ，３０２ｂ（例えば、両側の凹凸群２０２，３０２の凹部２０２ｂ，３０２ｂ、相手方の伝熱プレート２，３の凹凸群２０２，３０２の凹部２０２ｂ，３０２ｂ）に乗り移って該凹部２０２ｂ，３０２ｂに沿って流れる。このように、第二流体Ｂは、凹部２０２ｂ，３０２ｂに沿った流れと、凸部２０２ａ，３０２ａに対する衝突を繰り返しつつ、下流側に流れる。
【０１４２】
以上のように、第一流体Ａ及び第二流体Ｂのそれぞれが流路（第一流路Ｒａ又は第二流路Ｒｂ）を画定する伝熱領域２００ａ，２００ｂ，３００ａ，３００ｂにある凹部２０１ｂ，２０２ｂ，３０１ｂ，３０２ｂに沿って流れるため、上記構成のプレート式熱交換器１では、流通抵抗の増大が抑えられる。
【０１４３】
また、第一流体Ａ及び第二流体Ｂのそれぞれが、凹部２０１ｂ，２０２ｂ，３０１ｂ，３０２ｂを含む凹凸群２０１，２０２，３０１，３０２の凸部２０１ａ，２０２ａ，３０１ａ，３０２ａと衝突するため、上記構成のプレート式熱交換器１では、第一流体Ａ及び第二流体Ｂのそれぞれの流れに乱れが生じることになり、高い伝熱性能が得られる。
【０１４４】
特に、本実施形態において、伝熱プレート２，３の伝熱領域２００ａ，２００ｂ，３００ａ，３００ｂにある複数の凹凸群２０１，２０２，３０１，３０２の凸部２０１ａ，２０２ａ，３０１ａ，３０２ａのそれぞれは、Ｘ軸方向で隣り合う相手方の伝熱プレート２，３の伝熱領域２００ａ，２００ｂ，３００ａ，３００ｂにある複数の凹凸群２０１，２０２，３０１，３０２のうちの一つの凹凸群２０１，２０２，３０１，３０２の一つの凸部２０１ａ，２０２ａ，３０１ａ，３０２ａと交差衝合している。
【０１４５】
上記構成によれば、凸部２０１ａ，３０１ａに衝突した第一流体Ａが該凸部２０１ａ，３０１ａを含む凹凸群２０１，３０１のある伝熱プレート２，３に対して相手方の伝熱プレート２，３の凹凸群２０１，３０１の凹部２０１ｂ，３０１ｂに誘導され、凸部２０２ａ，３０２ａに衝突した第二流体Ｂが該凸部２０２ａ，３０２ａを含む凹凸群２０２，３０２のある伝熱プレート２，３に対して相手方の伝熱プレート２，３の凹凸群２０２，３０２の凹部２０２ｂ，３０２ｂに誘導される。
【０１４６】
具体的に説明すると、共通の伝熱領域２００ａ，２００ｂ，３００ａ，３００ｂ内にある複数の凹凸群２０１，２０２，３０１，３０２は、縦中心線ＣＬ１に対して傾斜する方向（仮想線ＶＬの延びる方向）に対して直交方向に並ぶため、異なる凹凸群２０１，２０２，３０１，３０２の凸部２０１ａ，２０２ａ，３０１ａ，３０２ａは、凹凸群２０１，２０２，３０１，３０２の延びる方向（仮想線ＶＬの延びる方向）に対して直交する方向の異なる位置に配置される。すなわち、異なる凹凸群２０１，２０２，３０１，３０２の凸部２０１ａ，２０２ａ，３０１ａ，３０２ａは、仮想線ＶＬの延びる方向と直交する方向に間隔をあけて配置される。
【０１４７】
これに伴い、凹凸群２０１，２０２，３０１，３０２に含まれる凸部２０１ａ，２０２ａ，３０１ａ，３０２ａのそれぞれには、相手方の伝熱プレート２，３の異なる凹凸群２０１，２０２，３０１，３０２の一つの凸部２０１ａ，２０２ａ，３０１ａ，３０２ａが交差する。これに伴い、隣り合う伝熱プレート２，３の凸部２０１ａ，２０２ａ，３０１ａ，３０２ａ同士は交差衝合し、隣り合う伝熱プレート２，３の凹部２０１ｂ，２０２ｂ，３０１ｂ，３０２ｂ同士は間隔をあけた状態で交差する。
【０１４８】
これにより、凹部２０１ｂ，３０１ｂに沿って流れる第一流体Ａが凸部２０１ａ，３０１ａに衝突することで流れを変えようとすると、相手方の伝熱プレート２，３の凹部２０１ｂ，３０１ｂ（第一流体Ａが衝突する凸部２０１ａ，３０１ａと横並びの凹部２０１ｂ，３０１ｂと交差する凹部２０１ｂ，３０１ｂ）に入り込み、該相手方の伝熱プレート２，３の凹部２０１ｂ，３０１ｂに沿って流れる。
【０１４９】
そして、相手方の伝熱プレート２，３の凹部２０１ｂ，３０１ｂに沿って流れる第一流体Ａが該相手方の伝熱プレート２，３の凸部２０１ａ，３０１ａに衝突することで流れを変えようとすると、元の伝熱プレート２，３の凹部２０１ｂ，３０１ｂ（第一流体Ａが衝突する凸部２０１ａ，３０１ａと横並びの凹部２０１ｂ，３０１ｂと交差する凹部２０１ｂ，３０１ｂ）に入り込み、該元の伝熱プレート２，３の凹部２０１ｂ，３０１ｂに沿って流れる。このように、第一流体Ａは、隣り合う伝熱プレート２，３の凹部２０１ｂ，３０１ｂを順々に乗り移りつつ下流側に流れる。
【０１５０】
そして、本実施形態に係るプレート式熱交換器１において、凹凸群２０１，２０２，３０１，３０２（凸部２０１ａ，２０２ａ，３０１ａ，３０２ａ、凹部２０１ｂ，２０２ｂ，３０１ｂ，３０２ｂ）は、Ｚ軸方向に延びる（第一流体Ａの流れ方向に延びる）縦中心線ＣＬ１に対して傾斜した仮想線ＶＬに沿っている（凹部２０１ｂ，３０１ｂが傾斜方向に長手をなす）ため、上述の如く、第一流体Ａが隣り合う伝熱プレート２，３の凹部２０１ｂ，３０１ｂを順々に乗り移りつつ下流側に流れることで、第一流体Ａの流れが螺旋流になる。この流れ（螺旋流）は、第二流体Ｂも同様である。
【０１５１】
このように、第一流路Ｒａに第一流体Ａが凹部２０１ｂ，３０１ｂを流れる機会があり、第二流路Ｒｂに第二流体Ｂが凹部２０２ｂ，３０２ｂを流れる機会があるため、それぞれの流路で流通抵抗が高くなることが抑制される。また、第一流路Ｒａ内で第一流体Ａが螺旋流を作り、第二流路Ｒｂ内で第二流体Ｂが螺旋流を作ることで、第一流体Ａ及び第二流体Ｂのそれぞれの流れにさらなる乱れが生じる結果、伝熱プレート２，３（伝熱領域２００ａ，２００ｂ，３００ａ，３００ｂ）を介しての第一流体Ａと第二流体Ｂとの熱交換性能（伝熱性能）が高くなる。
【０１５２】
さらに、本実施形態に係るプレート式熱交換器１は、第一流路Ｒａ内で第一流体Ａが螺旋流を作り、第二流路Ｒｂ内で第二流体Ｂが螺旋流を作ることで、第一流体Ａ及び第二流体Ｂのそれぞれの流れにさらなる乱れが生じるため、この流れの乱れによって混合機能を発揮する。
【０１５３】
これにより、本実施形態に係るプレート式熱交換器１は、第一流体Ａ又は第二流体Ｂの少なくとも何れか一方に含まれる成分が流通過程で分離することを防止できる。
【０１５４】
また、本実施形態に係るプレート式熱交換器１は、第一流路Ｒａ又は第二流路Ｒｂの何れか一方に対し、二種類以上の液体を合わせた流体、或いは一種類以上の液体と粉体とを合わせた流体を第一流体Ａ又は第二流体Ｂとして流通させることで、第一流体Ａ又は第二流体Ｂを構成する二種類以上の液体、或いは一種類以上の液体と粉体とを混合させる（ミキシングする）ことができる。
【０１５５】
従って、本実施形態に係るプレート式熱交換器１は、第一流体Ａ又は第二流体Ｂの何れか一方に含まれる複数の成分を混合させる混合器（ミキサー）として機能することもできる。すなわち、本実施形態に係るプレート式熱交換器１は、第一流体Ａ又は第二流体Ｂの何れか一方に含まれる複数の成分を混合させつつ、第一流体Ａと第二流体Ｂとを熱交換させる（第一流体Ａ又は第二流体Ｂの何れか一方を加熱又は冷却させる）ことで、第一流体Ａ又は第二流体Ｂの何れか一方に含まれる成分同士を反応させる反応器として機能する。
【０１５６】
また、本実施形態において、凹凸群２０１，２０２，３０１，３０２の配置の基準となる仮想線ＶＬは、Ｚ軸方向に延びる縦中心線ＣＬ１に対して４５°未満の角度で傾斜しているため、凹凸群２０１，２０２，３０１，３０２に含まれる凹部２０１ｂ，２０２ｂ，３０１ｂ，３０２ｂの長手に延びる方向の成分に、第一流体Ａ及び第二流体Ｂの流れ方向の成分の方が該流れ方向と直交する方向の成分よりも多く含まれる。
【０１５７】
これにより、第一流路Ｒａで第一流体Ａが流れ易く、第二流路Ｒｂで第二流体Ｂが流れ易くなる。すなわち、第一流路Ｒａ及び第二流路Ｒｂのそれぞれにおいて、流通抵抗が高くなることが抑制される。
【０１５８】
このように、本実施形態に係るプレート式熱交換器１によれば、流体の流通抵抗の増加を抑えつつ、高い伝熱性能を得ることができるという優れた効果を奏し得る。
【０１５９】
なお、本発明は、上記各実施形態に限定されるものではなく、本発明の要旨を逸脱しない範囲において適宜変更を加え得ることは勿論である。
【０１６０】
上記各実施形態において、第一方向に重ね合わされた複数の伝熱プレート２，３同士がロウ付けされ、伝熱プレート２，３間が液密にシールされたが、これに限定されない。例えば、隣り合う伝熱プレート２，３間に流路を画定する環状のガスケットが配置され、該ガスケットによって伝熱プレート２，３間がシールされてもよい。
【０１６１】
上記各実施形態において、プレート式熱交換器１が凹凸群２０１，２０２，３０１，３０２の凹凸の位置を異にする二種類の伝熱プレート２，３を含み、この二種類の伝熱プレート２，３（第一伝熱プレート２、第二伝熱プレート３）が交互に重ね合わされたが、これに限定されない。
【０１６２】
例えば、伝熱プレート２，３の伝熱領域２００ａ，２００ｂ，３００ａ，３００ｂにある複数の凹凸群２０１，２０２，３０１，３０２の凸部２０１ａ，２０２ａ，３０１ａ，３０２ａのそれぞれが、第一方向で隣り合う相手方の伝熱プレート２，３の伝熱領域２００ａ，２００ｂ，３００ａ，３００ｂにある複数の凹凸群２０１，２０２，３０１，３０２のうちの少なくとも二つの凹凸群２０１，２０２，３０１，３０２の凸部２０１ａ，２０２ａ，３０１ａ，３０２ａと交差衝合する、或いは、伝熱プレート２，３の伝熱領域２００ａ，２００ｂ，３００ａ，３００ｂにある複数の凹凸群２０１，２０２，３０１，３０２の凸部２０１ａ，２０２ａ，３０１ａ，３０２ａのそれぞれが第一方向で隣り合う相手方の伝熱プレート２，３の伝熱領域２００ａ，２００ｂ，３００ａ，３００ｂにある複数の凹凸群２０１，２０２，３０１，３０２のうちの一つの凹凸群２０１，２０２，３０１，３０２の一つの凸部２０１ａ，２０２ａ，３０１ａ，３０２ａと交差衝合するように、伝熱プレート２，３の凹凸群２０１，２０２，３０１，３０２の凹凸の位置や、サイズ（長さ、幅）、間隔（ピッチ）等が設定されることを前提に、同一の伝熱プレート２，３（共通の伝熱プレート２，３）がＸ軸方向で重ね合わせられてもよい。
【０１６３】
なお、この場合において、上記各実施形態と同様に、複数の伝熱プレート２，３同士がロウ付けされる場合には、各伝熱プレート２，３が環状部２１，３１を含むため、Ｘ軸方向で一つおきに伝熱プレート２，３がＸ軸方向に延びる仮想線を中心にして１８０°回転させて配置される。これに対し、隣り合う伝熱プレート２，３間に流路を画定する環状のガスケットが配置され、該ガスケットによって伝熱プレート２，３間がシールされる場合には、伝熱プレート２，３が環状部２１，３１を含まないため、Ｘ軸方向で一つおきに伝熱プレート２，３がＸ軸方向に延びる仮想線を中心にして１８０°回転、或いは、縦中心線ＣＬ１又は横中心線ＣＬ２を基準（中心）にして１８０°反転させて配置される。
【０１６４】
上記各実施形態において、伝熱プレート２，３の凹凸群２０１，２０２，３０１，３０２に含まれる凸部２０１ａ，２０２ａ，３０１ａ，３０２ａ及び凹部２０１ｂ，２０２ｂ，３０１ｂ，３０２ｂのそれぞれがＺ軸方向に延びる縦中心線ＣＬ１に対して４５°未満の傾斜角度で傾斜する仮想線ＶＬに沿って延びたが、これに限定されない。
【０１６５】
例えば、伝熱プレート２，３の凹凸群２０１，２０２，３０１，３０２に含まれる凸部２０１ａ，２０２ａ，３０１ａ，３０２ａ及び凹部２０１ｂ，２０２ｂ，３０１ｂ，３０２ｂのそれぞれがＺ軸方向に延びる縦中心線ＣＬ１に対して４５°以上の傾斜角度で傾斜する仮想線ＶＬに沿って延びてもよい。但し、仮想線ＶＬは、Ｚ軸方向に延びる縦中心線ＣＬ１に対して傾斜していなければならないため、仮想線ＶＬは、Ｚ軸方向に延びる縦中心線ＣＬ１に対して９０°未満で傾斜しなければならないことは言うまでもない。
【０１６６】
上記各実施形態において、複数の凹凸群２０１，２０２，３０１，３０２のそれぞれの凸部２０１ａ，２０２ａ，３０１ａ，３０２ａが隣り合う凹凸群２０１，２０２，３０１，３０２の凹部２０１ｂ，２０２ｂ，３０１ｂ，３０２ｂとＹ軸方向で横並びに配置され、複数の凹凸群２０１，２０２，３０１，３０２のそれぞれの凹部２０１ｂ，２０２ｂ，３０１ｂ，３０２ｂが隣り合う凹凸群２０１，２０２，３０１，３０２の凸部２０１ａ，２０２ａ，３０１ａ，３０２ａとＹ軸方向で横並びに配置されたが、これに限定されない。
【０１６７】
例えば、複数の凹凸群２０１，２０２，３０１，３０２のそれぞれの凸部２０１ａ，２０２ａ，３０１ａ，３０２ａが隣り合う凹凸群２０１，２０２，３０１，３０２の凹部２０１ｂ，２０２ｂ，３０１ｂ，３０２ｂと傾斜方向に対して直交方向（Ｙ軸方向及びＺ軸方向の合成方向）で横並びに配置され、複数の凹凸群２０１，２０２，３０１，３０２のそれぞれの凹部２０１ｂ，２０２ｂ，３０１ｂ，３０２ｂが隣り合う凹凸群２０１，２０２，３０１，３０２の凸部２０１ａ，２０２ａ，３０１ａ，３０２ａと傾斜方向に対して直交方向（Ｙ軸方向及びＺ軸方向の合成方向）で横並びに配置されてもよい。
【０１６８】
上記第二実施形態において、凹凸群２０１，２０２，３０１，３０２の凹部２０１ｂ，２０２ｂ，３０１ｂ，３０２ｂ及び凸部２０１ａ，２０２ａ，３０１ａ，３０２ａが、仮想線ＶＬに沿って真っ直ぐに延びたが、これに限定されない。例えば、図２１及び図２２に示す如く、第一流体Ａ及び第二流体Ｂの螺旋流の連続性を向上させるべく、凹部２０１ｂ，２０２ｂ，３０１ｂ，３０２ｂ及び凸部２０１ａ，２０２ａ，３０１ａ，３０２ａのそれぞれがＸ軸方向から見て湾曲形状（Ｓ字状又は逆Ｓ字状）に形成されてもよい。
【０１６９】
上記各実施形態において、特に言及しなかったが、上述の如く、プレート式熱交換器１を混合器（ミキサー）として機能させる場合、一方の第一連通路Ｒａ１又は一方の第二連通路Ｒｂ１に対して、混合の対象となる二種類以上の液体を合わせた流体、或いは一種類以上の液体と粉体とを合わせた流体を第一流体Ａ又は第二流体Ｂとして供給してもよい。また、流体の供給元となる一方の第一連通路Ｒａ１又は一方の第二連通路Ｒｂ１の何れか一方を二つ以上設け、これらのそれぞれに混合の対象となる液体等を供給し、第一流路Ｒａ又は第二流路Ｒｂで合流させ、第一流路Ｒａ又は第二流路Ｒｂの一方で第一流体Ａ又は第二流体Ｂとして流通させるようにしてもよい。
【符号の説明】
【０１７０】
１…プレート式熱交換器、２…第一伝熱プレート（伝熱プレート）、３…第二伝熱プレート（伝熱プレート）、２０，３０…伝熱部、２０ａ，３０ａ…主伝熱部、２０ｂ，３０ｂ…端部、２１，３１…環状部、２００ａ，２００ｂ，３００ａ，３００ｂ…伝熱領域、２０１，２０２，３０１，３０２…凹凸群、２０１ａ，２０２ａ，３０１ａ，３０２ａ…凸部、２０１ｂ，２０２ｂ，３０１ｂ，３０２ｂ…凹部、２０３，２０４，３０３，３０４…貫通孔、Ａ…第一流体、Ｂ…第二流体、ＣＬ１…縦中心線(中心線）、ＣＬ２…横中心線（中心線）、Ｒａ…第一流路、Ｒａ１，Ｒａ２…第一連通路、Ｒｂ…第二流路、Ｒｂ１，Ｒｂ２…第二連通路、Ｓ１…第一面、Ｓ２…第二面、ＶＬ…仮想線、θ１…傾斜角度、θ２…傾斜角度
【図１】
2020034219.tif 000003
【図２】
2020034219.tif 000004
【図３】
2020034219.tif 000005
【図４】
2020034219.tif 000006
【図５】
2020034219.tif 000007
【図６】
2020034219.tif 000008
【図７】
2020034219.tif 000009
【図８】
2020034219.tif 000010
【図９】
2020034219.tif 000011
【図１０】
2020034219.tif 000012
【図１１】
2020034219.tif 000013
【図１２】
2020034219.tif 000014
【図１３】
2020034219.tif 000015
【図１４】
2020034219.tif 000016
【図１５】
2020034219.tif 000017
【図１６】
2020034219.tif 000018
【図１７】
2020034219.tif 000019
【図１８】
2020034219.tif 000020
【図１９】
2020034219.tif 000021
【図２０】
2020034219.tif 000022
【図２１】
2020034219.tif 000023
【図２２】
2020034219.tif 000024
【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
第一方向の両面に伝熱領域を含む伝熱プレートであって、それぞれの伝熱領域が第一方向に重ね合わされた複数の伝熱プレートを備え、
該複数の伝熱プレートのそれぞれを境にして、第一流体を第一方向と直交する第二方向に流通させる第一流路と、第二流体を第二方向に流通させる第二流路とが第一方向で交互に形成され、
伝熱領域は、第二方向に延びる前記伝熱プレートの中心線に対して傾斜する方向に延びる仮想線に沿ってそれぞれが延びる凸部及び凹部によって構成され且つ該凸部及び凹部が前記仮想線に沿って交互に並ぶ凹凸群であって、前記仮想線の延びる方向と直交する方向に並ぶ複数の凹凸群を有し、
該複数の凹凸群のそれぞれの凸部は、前記仮想線の延びる方向と直交する方向で隣り合う凹凸群の凹部に対して横並びに配置されるとともに、前記複数の凹凸群のそれぞれの凹部は、前記仮想線の延びる方向と直交する方向で隣り合う凹凸群の凸部に対して横並びに配置され、
伝熱領域を対向させて隣り合う伝熱プレートは、互いの凹凸群の凸部同士を交差衝合させていることを特徴とする、プレート式熱交換器。
【請求項２】
伝熱プレートの伝熱領域にある複数の凹凸群の凸部のそれぞれは、第一方向で隣り合う相手方の伝熱プレートの伝熱領域にある複数の凹凸群のうちの少なくとも二つの凹凸群の凸部と交差衝合している請求項１に記載のプレート式熱交換器。
【請求項３】
伝熱プレートの伝熱領域にある複数の凹凸群の凸部のそれぞれは、第一方向で隣り合う相手方の伝熱プレートの伝熱領域にある複数の凹凸群のうちの一つの凹凸群の一つの凸部と交差衝合している請求項１に記載のプレート式熱交換器。
【請求項４】
第一方向の両面に伝熱領域を含む伝熱プレートであって、それぞれの伝熱領域が第一方向に重ね合わされた複数の伝熱プレートを備え、
該複数の伝熱プレートのそれぞれを境にして、第一流体を第一方向と直交する第二方向に流通させる第一流路と、第二流体を第二方向に流通させる第二流路とが第一方向で交互に形成され、
伝熱領域は、第二方向に延びる前記伝熱プレートの中心線に対して傾斜する方向に長手を有する凸部及び凹部を含み且つ該凸部及び凹部が前記傾斜する方向に延びる仮想線に沿って交互に並ぶ凹凸群であって、前記傾斜する方向と直交する方向に並ぶ複数の凹凸群を有し、
該複数の凹凸群のそれぞれの凸部は、前記傾斜する方向と直交する方向で隣り合う凹凸群の凹部に対して横並びに配置されるとともに、前記複数の凹凸群のそれぞれの凹部は、前記傾斜する方向と直交する方向で隣り合う凹凸群の凸部に対して横並びに配置され、
伝熱プレートの伝熱領域にある複数の凹凸群の凸部のそれぞれは、第一方向で隣り合う相手方の伝熱プレートの伝熱領域にある複数の凹凸群のうちの少なくとも二つの凹凸群の凸部と交差衝合していることを特徴とする、プレート式熱交換器。
【請求項５】
凹凸群の配置の基準となる仮想線は、第二方向に延びる中心線に対して４５°未満の角度で傾斜している請求項１乃至４の何れか１項に記載のプレート式熱交換器。
【手続補正２】
【補正対象書類名】明細書
【補正対象項目名】００１１
【補正方法】変更
【補正の内容】
【００１１】
本発明に係るプレート式熱交換器は、第一方向の両面に伝熱領域を含む伝熱プレートであって、それぞれの伝熱領域が第一方向に重ね合わされた複数の伝熱プレートを備え、該複数の伝熱プレートのそれぞれを境にして、第一流体を第一方向と直交する第二方向に流通させる第一流路と、第二流体を第二方向に流通させる第二流路とが第一方向で交互に形成され、伝熱領域は、第二方向に延びる前記伝熱プレートの中心線に対して傾斜する方向に延びる仮想線に沿ってそれぞれが延びる凸部及び凹部によって構成され且つ該凸部及び凹部が前記仮想線に沿って交互に並ぶ凹凸群であって、前記仮想線の延びる方向と直交する方向に並ぶ複数の凹凸群を有し、該複数の凹凸群のそれぞれの凸部は、前記仮想線の延びる方向と直交する方向で隣り合う凹凸群の凹部に対して横並びに配置されるとともに、前記複数の凹凸群のそれぞれの凹部は、前記仮想線の延びる方向と直交する方向で隣り合う凹凸群の凸部に対して横並びに配置され、伝熱領域を対向させて隣り合う伝熱プレートは、互いの凹凸群の凸部同士を交差衝合させていることを特徴とする。
【手続補正３】
【補正対象書類名】明細書
【補正対象項目名】００２９
【補正方法】変更
【補正の内容】
【００２９】
このように、第一流路に第一流体が凹部を流れる機会があり、第二流路に第二流体が凹部を流れる機会があるため、それぞれの流路で流通抵抗が高くなることが抑制される。また、第一流路内で第一流体が螺旋流を作り、第二流路内で第二流体が螺旋流を作ることで、第一流体及び第二流体のそれぞれの流れにさらなる乱れが生じる結果、伝熱プレート（伝熱領域）を介しての第一流体と第二流体との熱交換性能（伝熱性能）が高くなる。
また、本発明に係るプレート式熱交換器は、第一方向の両面に伝熱領域を含む伝熱プレートであって、それぞれの伝熱領域が第一方向に重ね合わされた複数の伝熱プレートを備え、該複数の伝熱プレートのそれぞれを境にして、第一流体を第一方向と直交する第二方向に流通させる第一流路と、第二流体を第二方向に流通させる第二流路とが第一方向で交互に形成され、伝熱領域は、第二方向に延びる前記伝熱プレートの中心線に対して傾斜する方向に長手を有する凸部及び凹部を含み且つ該凸部及び凹部が前記傾斜する方向に延びる仮想線に沿って交互に並ぶ凹凸群であって、前記傾斜する方向と直交する方向に並ぶ複数の凹凸群を有し、該複数の凹凸群のそれぞれの凸部は、前記傾斜する方向と直交する方向で隣り合う凹凸群の凹部に対して横並びに配置されるとともに、前記複数の凹凸群のそれぞれの凹部は、前記傾斜する方向と直交する方向で隣り合う凹凸群の凸部に対して横並びに配置され、伝熱プレートの伝熱領域にある複数の凹凸群の凸部のそれぞれは、第一方向で隣り合う相手方の伝熱プレートの伝熱領域にある複数の凹凸群のうちの少なくとも二つの凹凸群の凸部と交差衝合していることを特徴とする。